(57)【要約】【課題】使い勝手がよく、シャッターチャンスを逃すことのない電子カメラを提供する。【解決手段】撮像素子１０と、一眼レフ方式のファインダ部ＦＤと、被写体の像をファインダ部ＦＤ又は撮像素子１０へ選択的に導くためのミラー部材ＲＭと、画像を表示する表示装置１７と、静止画に関する少なくとも一つの撮影モード及び動画に関する少なくとも一つの撮影モードの中から何れか一つの撮影モードを選択する操作信号を出力する操作手段と、該操作手段の操作信号に応じて、ミラー部材ＲＭの切換動作を含む当該カメラ内部の状態を当該撮影モードに対応した所定の状態に設定する設定手段と、動画に関する撮影モードに設定される前に設定されていた静止画に関する撮影モードを記憶する記憶手段と、動画に関する撮影モードに設定されている場合であって、その撮影モードに対する所定の中断条件が成立した場合に、撮影モードを前記記憶手段に記憶されている撮影モードに変更するよう前記設定手段を制御する制御手段とを備えている。【選択図】図１
2008245129.tif 000002
【特許請求の範囲】
【請求項１】
撮影光学系からの光学像を撮像する撮像素子と、
撮影者が前記撮影光学系からの光学像を直接目視するためのファインダ部と、
前記ファインダ部へ前記撮影光学系からの光学像を導くために該撮影光学系の光路内に配置される第１の位置、又は前記撮像素子へ該撮影光学系からの光学像を導くために該撮影光学系の光路外に配置される第２の位置に選択的に切換動作されるミラー部材と、
前記撮像素子の出力信号に基づいて画像を表示する表示装置と、
静止画に関する少なくとも一つの撮影モード及び動画に関する少なくとも一つの撮影モードの中から何れか一つの撮影モードを選択する操作信号を出力する操作手段と、
前記操作手段の操作信号に応じて、前記ミラー部材の切換動作を含む当該カメラ内部の状態を当該撮影モードに対応した所定の状態に設定する設定手段と、
前記動画に関する撮影モードに設定される前に設定されていた前記静止画に関する撮影モードを記憶する記憶手段と、
前記動画に関する撮影モードに設定されている場合であって、その撮影モードに対する所定の中断条件が成立した場合に、前記撮影モードを前記記憶手段に記憶されている撮影モードに変更するよう前記設定手段を制御する制御手段と、
を備えることを特徴とする電子カメラ。
【請求項２】
前記静止画に関する撮影モードは、
静止画を撮影するための撮影指示がなされた場合に一つの画像を記録手段に記録する第１の撮影モードと、
静止画を撮影するための撮影指示が継続的になされている間は所定間隔で複数の画像を記録手段に記録する第２の撮影モードと、
を含むことを特徴とする請求項１に記載の電子カメラ。
【請求項３】
前記動画に関する撮影モードは、
前記撮像素子の出力信号に基づいたスルー画像を連続的に前記表示装置に表示する第３の撮影モードと、
前記撮像素子の出力信号に基づいた画像を連続的に記録手段に記録する第４の撮影モードと、
を含むことを特徴とする請求項１又は２に記載の電子カメラ。
【請求項４】
前記中断条件は、電源オフの状態になった場合に成立することを特徴とする請求項１〜３の何れか一項に記載の電子カメラ。
【請求項５】
前記中断条件は、静止画の記録が該静止画について予め設定された所定の記録容量を越えた場合に成立することを特徴とする請求項１〜３の何れか一項に記載の電子カメラ。
【請求項６】
前記中断条件は、動画の記録が該動画について予め設定された所定の記録容量を越えた場合に成立することを特徴とする請求項１〜３の何れか一項に記載の電子カメラ。
【請求項７】
前記中断条件は、前記動画に関する撮影モードの継続時間が予め設定された所定の時間以上となった場合に成立することを特徴とする請求項１〜３の何れか一項に記載の電子カメラ。
【請求項８】
前記中断条件は、前記撮像素子の温度を計測するセンサによる検出温度が所定の温度以上となった場合に成立することを特徴とする請求項１〜３の何れか一項に記載の電子カメラ。
【請求項９】
前記中断条件は、前記第３の撮影モードに設定された状態で、静止画を撮影するための撮影指示がなされた場合に成立することを特徴とする請求項３に記載の電子カメラ。
【請求項１０】
静止画及び動画に関する複数の撮影モードを有する一眼レフ方式の電子カメラの制御方法であって、
前記撮影モードが動画に関する撮影モードに設定されている場合であって、所定の中断条件が成立した場合に、当該動画に関する撮影モードに設定される前に設定されていた静止画に関する撮影モードに変更するようにしたことを特徴とする電子カメラの制御方法。
【発明の詳細な説明】
【技術分野】
【０００１】
本発明は、電子カメラ及びその制御方法に関し、特に、撮影レンズを介した被写体の像を直接的に目視しながら撮影が可能な一眼レフ方式の電子カメラ及びその制御方法に関する。
【背景技術】
【０００２】
近年、被写体の光学像を、撮影レンズを介してＣＣＤ等の固体撮像素子に結像させ、該撮像素子により光電変換されて出力される画像信号を、記録媒体等に記録するようにした一眼レフ方式のデジタルカメラが実用化されている。この種の一眼レフ方式の電子カメラは、撮影レンズからの光学像を光学ファインダへ導くために該撮影レンズの光路内に配置される第１の位置（ミラーダウン位置）と、撮像素子へ導くために該光路外に配置される第２の位置（ミラーアップ位置）との間で回動するミラー部材を備えている。
【０００３】
ミラー部材は、撮影レンズからの被写体像を光学ファインダを介して目視しながら撮影する一眼レフカメラの特質上、前記第１の位置が基本的なポジションとなっており、被写体の像を撮影する時（画像を取り込む時）にのみ瞬間的に、前記第２の位置に回転させて、撮影レンズからの光学像を撮像素子に結像させるようにしているのが一般的である。
【０００４】
ミラー部材の駆動は、撮像素子の前面に設けられるメカニカルシャッタ等の駆動と連動して、アクチュエータ（電磁石やモータ等）等を備える駆動装置により行われるようになっており、ミラー部材は、前記第１の位置が基本的位置であるため、電磁石等への非通電時に前記第１の位置に、通電時に前記第２の位置に設定されるようにしている。これは、電磁石等は通電により発熱するため、その熱による撮影への悪影響を少なくするためである。
【０００５】
ところで、撮影レンズの光軸とは異なる光軸の光学像を観察する透過方式のファインダを搭載するコンパクトデジタルカメラ等と同様に、一眼レフ方式のデジタルカメラにおいても、撮影レンズからの像を撮像素子で連続的に撮像し、該画像を液晶ディスプレイ等の表示装置に動画表示させる機能や動画記録する機能を搭載することが近時行われるようになってきた。このような動画表示や動画記録を行う場合には、被写体の像を撮像素子に継続的に導くため、上述したミラー部材を前記第２の位置に設定した状態を長く継続する必要があるとともに、近時は撮像素子として一千万画素にも及ぶものも採用されていること等から、熱対策等において、コンパクトデジタルカメラ等とは異なる特別が配慮が必要とされている。
【０００６】
一眼レフ方式の電子カメラにおける動画表示の動作に関しては、例えば下記特許文献１に、動画記録の動作に関しては、例えば下記特許文献２に開示されている。これらの特許文献に記載のものでは、基本的に静止画の撮影モードと動画の撮影モードとを有しており、カメラボディに設けられた切換スイッチやダイヤルスイッチ等を撮影者が手動操作して、モードを選択的に切り換えるようにしている。
【０００７】
しかしながら、切換スイッチ等を操作してモードを手動のみによって切り換えるようにした従来技術では、切換スイッチ等を動画表示又は動画記録のモードに切り換えて動画表示又は動画記録を行っている最中に、静止画の撮影を行いたい場合には、該切換スイッチ等を操作して、静止画のモードに変更してからでなければ、静止画の撮影を行うことができず、その操作は煩雑で使い勝手が悪いとともに、直ちに静止画の撮影を行うことができないので、いわゆるシャッターチャンスを逃してしまう場合があるという問題があった。
【０００８】
また、カメラ内部の駆動手段や撮像素子等の発熱部品による温度上昇等との関係で、カメラが動画表示を自動的に強制中断したような場合であっても、切換スイッチ等はそのままの設定であるから、やはり静止画を撮影する場合には切換スイッチ等の手動操作を行わなければならず、同様な問題が生じていた。
【０００９】
本発明は上述したような点に鑑みてなされたものであり、使い勝手がよく、シャッターチャンスを逃すことのない電子カメラ及びその制御方法を提供することを目的とする。
【特許文献１】特開２００６−３３７０５号公報
【特許文献２】特開２００４−１０９８３１号公報
【発明の開示】
【課題を解決するための手段】
【００１０】
本発明の第１の観点によると、撮影光学系からの光学像を撮像する撮像素子と、撮影者が前記撮影光学系からの光学像を直接目視するためのファインダ部と、前記ファインダ部へ前記撮影光学系からの光学像を導くために該撮影光学系の光路内に配置される第１の位置、又は前記撮像素子へ該撮影光学系からの光学像を導くために該撮影光学系の光路外に配置される第２の位置に選択的に切換動作されるミラー部材と、前記撮像素子の出力信号に基づいて画像を表示する表示装置と、静止画に関する少なくとも一つの撮影モード及び動画に関する少なくとも一つの撮影モードの中から何れか一つの撮影モードを選択する操作信号を出力する操作手段と、前記操作手段の操作信号に応じて、前記ミラー部材の切換動作を含む当該カメラ内部の状態を当該撮影モードに対応した所定の状態に設定する設定手段と、前記動画に関する撮影モードに設定される前に設定されていた前記静止画に関する撮影モードを記憶する記憶手段と、前記動画に関する撮影モードに設定されている場合であって、その撮影モードに対する所定の中断条件が成立した場合に、前記撮影モードを前記記憶手段に記憶されている撮影モードに変更するよう前記設定手段を制御するモード制御手段と、を備える電子カメラが提供される。
【００１１】
本発明の第２の観点によると、静止画及び動画に関する複数の撮影モードを有する一眼レフ方式の電子カメラの制御方法であって、前記撮影モードが動画に関する撮影モードに設定されている場合であって、所定の中断条件が成立した場合に、当該動画に関する撮影モードに設定される前に設定されていた静止画に関する撮影モードに変更するようにした電子カメラの制御方法が提供される。
【００１２】
上述した第１及び第２の観点に係る発明において、特に限定されないが、前記中断条件は、電源オフの状態になった場合、静止画の記録が該静止画について予め設定された所定の記録容量を越えた場合、動画の記録が該動画について予め設定された所定の記録容量を越えた場合、前記動画に関する撮影モードの継続時間が予め設定された所定の時間以上となった場合、前記撮像素子の温度を計測するセンサによる検出温度が所定の温度以上となった場合、又は静止画を撮影するための撮影指示がなされた場合に成立するようにできる。但し、この中断条件には、動画に関するモードが正常に終了される場合、例えば、後述するようなレリーズボタンの全押し操作（全押しスイッチのＯＮ操作）で開始されたライブビュー動作モードが、レリーズボタンの半押し操作（半押しスイッチのＯＮ操作）で正常に終了される場合や、あるいは、レリーズボタンの全押し操作で開始され、その全押し操作が継続されている間は動画の記録を行う動画モードが、その全押し操作の解除によって正常に終了される場合は含まれない。更に、撮影者がモード切換スイッチ等を手動操作して、該動画に関する撮影モードから静止画に関する撮影モードに切り換えたような場合も中断条件に含まれない。
【発明の効果】
【００１３】
本発明では、撮影モードが動画に関する撮影モードに設定されている場合であって、所定の中断条件が成立した場合に、当該動画に関する撮影モードに設定される前に設定されていた静止画に関する撮影モードに変更するようにしたので、動画表示又は動画記録を行っている最中に、静止画の撮影を行いたい場合には、該切換スイッチ等を切り換えて静止画に関するモードに変更するというような煩雑な作業を行うことなく、直ちに静止画の撮影を行うことができるようになり、使い勝手が向上するとともに、いわゆるシャッターチャンスを逃してしまうことが少なくなるという効果がある。
【発明を実施するための最良の形態】
【００１４】
以下、本発明の実施形態について、図面を参照して詳細に説明する。
【００１５】
〔電子カメラの全体構成〕
図１は本発明の実施形態に係る電子カメラの概略構成を模式的に示す断面図である。このカメラは、デジタル一眼レフカメラであり、１枚の静止画を撮影する１コマ撮影モード（第１の撮影モード）、所定の時間間隔で複数枚の静止画を撮影する連続撮影モード（第２の撮影モード、リアルタイム画像を表示装置に表示するライブビューモード（第３の撮影モード）、及び動画を撮影し記録する動画モード（第４の撮影モード）等の静止画及び動画に関する各種の撮影モードを選択可能な電子カメラである。
【００１６】
図１において、電子カメラＣＭは、カメラボディＣＢ及びカメラボディＣＢに交換可能に装着される撮影レンズＣＬを備えて構成されている。但し、撮影レンズＣＬはカメラボディＣＢに一体的に固定されていてもよい。カメラボディＣＢの上部には、ファインダ部ＦＤが一体的に固定されている。
【００１７】
カメラボディＣＢの内部には、高解像度（例えば、一千万画素）のＣＣＤ等の撮像素子１０が取り付けられている。撮像素子１０は、撮像面に結像される被写体の像を画像信号に変換して出力する。なお、撮像素子１０は、図示は省略しているが、その前面（撮影レンズＣＬ側）に、赤外光をカットするための赤外カットフィルタやモアレを防止するための光学的ローパスフィルタ等も備えている。撮像素子１０は、電気的な制御により投影される被写体の像の露光時間を調節するための電子シャッタ（機能）を備えている。
【００１８】
また、撮像素子１０の前面側には、遮光部材を機械的に駆動して露光時間を調節するためのメカニカルシャッタ１１が設けられている。このメカニカルシャッタ１１は、詳細図示は省略するが、アクチュエータ等を備える駆動装置によって駆動される該遮光部材としての先幕及び後幕を有し、静止画の撮影のためのレリーズボタンが押下（全押し）されると、まず先幕が撮像素子１０の撮像面を遮蔽している状態から該撮像面を開放する状態となるように走行され、予め設定されたシャッタ速度に相当する時間の経過後に、後幕が該撮像面を開放している状態から該撮像面を遮蔽する状態となるように走行される。先幕の走行後、後幕の走行が完了するまでの間、撮影レンズＣＬを介した被写体の像が撮像素子１０の撮像面に結像されることになる。
【００１９】
ファインダ部ＦＤは、撮影レンズＣＬや後述するミラー部材としてのクイックリターンミラーＲＭ等を介して形成される被写体の光学像を目視観察するための光学式のファインダであり、フォーカシングスクリーン（焦点板）１２、ペンタプリズム１３、測光素子１４、測光光学系１５、接眼部（接眼レンズ）１６等を備えて構成されている。測光素子１４は、シャッタスピードや絞り値を決定するために、これに結像される像の明るさを測定する素子である。
【００２０】
カメラボディＣＢの背面には、撮像素子１０に結像される画像を表示可能な画像表示モニタ（液晶パネル）１７が設けられている。従って、被写体の像は、ファインダ部ＦＤの接眼部１６又は画像表示モニタ１７の何れかを介して目視できるようになっている。
【００２１】
カメラボディＣＢ内において、撮像素子１０の前面側（メカニカルシャッタ１１よりも更に前面側）には、クイックリターンミラーＲＭが回動可能に軸支されている。クイックリターンミラーＲＭのメインミラー１８の裏面側（下側）には、サブミラー１９が設けられている。クイックリターンミラーＲＭは、図１中に点線で示すように、撮像素子１０の撮像面に対して略４５度で該撮像素子１０の前面を遮断する、即ち撮影レンズＣＬの光路内に配置される位置（第１の位置／ミラーダウン位置）に設定される第１姿勢と、図１において時計方向に回動して撮像素子１０の撮像面に対して略直交（フォーカシングスクリーン１２の下側で略平行）となる、即ち撮影レンズＣＬの光路外に配置される位置（第２の位置／ミラーアップ位置）に設定される第２姿勢となるように、選択的に高速動作可能なミラーである。
【００２２】
クイックリターンミラーＲＭの駆動は、不図示の駆動装置により行われる。本実施形態では、クイックリターンミラーＲＭと上述したメカニカルシャッタ１１の駆動は、同一の駆動装置によって行われるようになっている。但し、別の駆動装置によりそれぞれ駆動するようにしてもよい。クイックリターンミラーＲＭのメインミラー１８はその一部（中央部近傍）がハーフミラー、その余の部分が全反射ミラーとなっており、クイックリターンミラーＲＭが第１姿勢にある状態で、撮影レンズＣＬからの光は、その殆どが該メインミラー１８によってファインダ部ＦＤ（フォーカシングスクリーン１２）側へ反射され、メインミラー１８のハーフミラー部を透過した一部の光は、サブミラー１９で反射されるようになっている。サブミラー１９で反射された光は、不図示の光学系を介して、位相差検出式ＡＦ検出素子２０に入射される。
【００２３】
なお、図１では、サブミラー１９は、メインミラー１８に一体的に固定されているように描かれているが、サブミラー１９もその一端（メインミラー１８側の一端）が回動可能に軸支されており、メインミラー１８の動作に連動して回転して、クイックリターンミラーＲＭが第１姿勢にあるときには、メインミラー１８のハーフミラーを透過した光を下方へ反射するような姿勢となり、クイックリターンミラーＲＭが第２姿勢にあるときには、メインミラー１８とほぼ平行となるような姿勢となる。
【００２４】
クイックリターンミラーＲＭが第２姿勢に切り換えられると、撮影レンズＣＬからの光は上述したメカニカルシャッタ１１を介して撮像素子１０に入射される。位相差検出式ＡＦ検出素子２０は、２つのラインセンサ及び入射される光を２つに分割して該ラインセンサにそれぞれ入射させるマスク等を備えて構成されている。マスクにより２つに分けられた光を２つのラインセンサ上にそれぞれ再結像させて、それぞれの像面位置の差を検出する。この差がピントのズレ量（デフォーカス量）に相当する。
【００２５】
撮影レンズＣＬは、被写体の像を撮像素子１０の撮像面上に結像させるための光学系である。図１では、撮影レンズＣＬは焦点距離が変更可能なズームレンズであるものとするが、単焦点レンズであってもよい。フィッシュアイレンズ、広角レンズ、望遠レンズ、マイクロレンズ等を任意に交換して装着することも可能である。
【００２６】
撮影レンズＣＬは、レンズ鏡筒内部に、メインレンズ、焦点距離調節レンズ、フォーカスレンズ（焦点調節レンズ）等を含む複数のレンズからなるレンズ系２１，２１、及び絞り２２等を備えて構成されている。焦点距離調節レンズ及び焦点調節レンズは、それぞれ撮影レンズＣＬの光軸ＡＸに沿う方向に移動可能に取り付けられている。
【００２７】
焦点距離調節レンズは、図示しないズーム環等を撮影者が手動で回すことにより、その光軸ＡＸ方向の位置が変化し、それに応じて撮影レンズＣＬの焦点距離を変化させることができるようになっている。焦点調節レンズは、駆動モータ（アクチュエータ）により光軸ＡＸに沿う方向の位置が変化され、その位置の変化はエンコーダによりモニタされるようになっている。絞り２２は、撮像素子１０へ入射させる光の量を調節するための可変開口絞りであり、絞りの設定は、測光素子１４の出力等に基づき、又は撮影者の手動操作により設定される。なお、静止画撮影時は、レリーズボタン非操作状態では、撮影レンズＣＬの絞り２２は開放絞りに設定されており、レリーズボタンの全押し操作に応答して、絞り２２は露出演算により設定された制御絞り値に設定される。
【００２８】
カメラボディＣＢの上部又は背面には、図示は省略するが、撮影者が指示内容を手動入力するための各種の押しボタン、ダイヤル、十字キー等の操作部（操作手段）及び撮影モード等を含む各種の設定内容を表示するための情報表示パネル（画像表示モニタ１７とは別の小型液晶パネル）等が配置されている。操作部としては、電源をオン／オフする電源ダイヤル、半押しスイッチ及び全押しスイッチを有するレリーズボタン、撮影動作モードボタン、コマンドダイヤル等が設けられている。
【００２９】
撮影動作モードボタンは、これを押下することにより、撮影動作モードの変更が可能となり、コマンドダイヤルが撮影動作モードを切り換えるための操作部として機能するように内部的に設定される。この状態でコマンドダイヤルを操作することにより、撮影動作モードを順次変更することができる。撮影動作モードとしては、ここでは、上述した通り、１コマ撮影モード、連続撮影モード、ライブビューモード、及び動画モードの４つがあるので、例えば、１コマ撮影モードから始まって、コマンドダイヤルの操作に応じて、連続撮影モード、ライブビューモード、動画モード、１コマ撮影モードの順に又はこれと逆の順に、順次循環的に切り換えることができる。
【００３０】
コマンドダイヤルが操作されると、この電子カメラＣＭが備える制御装置（図２の１０１）によるソフト処理的には、コマンドダイヤルが操作される毎に、内部フラグとしてのモード設定パラメータが撮影動作モードに応じた値に順次変更設定される。現在設定されている撮影動作モードは、このモード設定パラメータの値に応じて、情報表示パネルに文字、数字又は絵文字等により表示され、撮影者が現在どの撮影動作モードに設定されているかを目視により確認できるようになっている。撮影動作モードの変更、即ちモード設定パラメータの変更は、このコマンドダイヤルの手動操作により変更可能である他、後に詳述するように、所定の中断条件が成立した場合に、ソフトウエア的内部処理より変更することも可能であり、その場合には、その変更後の撮影動作モードが表示部に表示される。
【００３１】
中断条件としては、電源ダイヤルの電源オフ操作により電源オフの状態になった場合、静止画の記録が該静止画について予め設定された所定の記録容量を越えた場合、動画の記録が該動画について予め設定された所定の記録容量を越えた場合、ライブビューモード又は動画モードの継続時間が予め設定された所定の時間以上となった場合、撮像素子の温度を計測するセンサによる検出温度が所定の温度以上となった場合、又は静止画を撮影するための撮影指示がなされた場合に成立するようにできる。但し、この中断条件には、ライブビューモード又は動画モードが正常に終了される場合、例えば、後述するようなレリーズボタンの全押し操作（全押しスイッチのＯＮ操作）で開始されたライブビュー動作モードが、レリーズボタンの半押し操作（半押しスイッチのＯＮ操作）で正常に終了される場合や、あるいは、レリーズボタンの全押し操作で開始され、その全押し操作が継続されている間は動画の記録を行う動画モードが、その全押し操作の解除によって正常に終了される場合は含まれない。更に、撮影者がコマンドダイヤル等を手動操作して、ライブビューモード又は動画モードから１コマ撮影モード又は連続撮影モードに切り換えたような場合は含まれない。
【００３２】
クイックリターンミラーＲＭは、第１姿勢が基本姿勢であり、通常はこの姿勢となっており、撮影者はファインダ部ＦＤを介して、撮影レンズＣＬからの被写体の像を目視できるようになっている。撮影動作モードが１コマ撮影モードに設定されている状態で、静止画の撮影操作（レリーズボタンが全押しされる操作）がなされると、クイックリターンミラーＲＭが第２姿勢に切り換えられ、これとほぼ同時にメカニカルシャッタ１１が作動された後、クイックリターンミラーＲＭは元の基本姿勢である第１姿勢に速やかに戻される。これにより、１枚の画像が撮像され、記録される。クイックリターンミラーＲＭが第２姿勢となることにより、ファインダ部ＦＤへの被写体の像の供給は一瞬遮断され、撮影者はこの瞬断により、撮影時点を認識することができるようになっている。
【００３３】
連続撮影モードに設定されている場合には、レリーズボタンの全押しを継続することにより、その継続している間だけ、所定の時間間隔で上述の１コマ撮影モードと同じ動作が繰り返し行われる。これにより、所定の時間間隔で複数枚の画像が撮像され、記録媒体に記録される。
【００３４】
撮影者により、静止画に関するモード（１コマ撮影モード、連続撮影モード）から動画に関するモード（ライブビューモード、動画モード）にモード変更の操作があり且つレリーズボタンの全押し操作がなされた場合には、クイックリターンミラーＲＭは第２姿勢に切り換えられるとともに、その姿勢を維持する。このとき、メカニカルシャッタ１１は、先幕のみ走行され、後幕は保持（走行されない状態）されることにより、撮像素子１０の撮像面が開放された状態となる。これにより、動画モードの場合は動画の撮影が可能となり記録媒体に動画が記録され、ライブビューモードの場合には、画像表示モニタ１７上にリアルタイムに動画が表示される。この動画に関するモードの終了指令（前述の正常な終了操作だけでなく、中断条件を満たす場合も含む）が出されると、クイックリターンミラーＲＭは、基本姿勢としての第１姿勢（ミラーダウン状態）に切り換えられる。
【００３５】
ライブビューモードにおいて、画像表示モニタ１７上に表示される画像は、スルー画像である。ここで、スルー画像とは、撮像素子１０で所定のサンプリング間隔毎に撮像される画像（このサンプリング間隔は、人目には連続的に映る間隔）であって、表示装置（ここでは、画像表示モニタ１７）上で表示されるために使用される画像である。
【００３６】
また、撮像素子１０の近傍には、撮像素子１０の温度を検出するための温度センサ２３が設けられている。近時の一眼レフ方式の電子カメラでは、撮像素子として、一千万画素に近いあるいはこれを越えるような超高解像なＣＣＤ等を用いるようにもなってきており、撮像素子の高解像度化に伴い発熱の問題が顕在化してきている。ライブビューモードや動画モードでは、撮像素子１０は長時間に渡ってフル稼働されるため、撮像素子１０の発熱による温度上昇により、撮影に悪影響を与えるおそれがある。この温度センサ２３は、撮像素子１０が予め設定された所定の温度以上になった場合に、温度が低下するまで、ライブビューモードや動画モードを強制的に中断させて、撮像素子１０の使用を制限する等の発熱対策に用いられる。
【００３７】
また、ライブビューモードや動画モードでは、クイックリターンミラー１７を第２姿勢に保持し、メカニカルシャッター１１を開いた状態に保持する必要があるため、これらを駆動するためのモータ等を含む駆動装置等の発熱に伴う温度上昇により、撮影に悪影響を与えるおそれもある。従って、撮像素子１０の温度を検出する温度センサ２３に加えて又はこれに代えて、上述した駆動装置の温度を検出する温度センサを設けてもよい。
【００３８】
〔制御系の構成〕
図２は本実施形態に係る電子カメラの制御系の概略構成を示すブロック図である。同図において、１０１はマイクロコンピュータ等によって構成される制御装置（制御手段）であり、後述する各ブロックから出力される信号の入力を受けて所定の演算を行い、演算結果に基づいて制御信号を各ブロックへ出力する。なお、この制御装置１０１を含む各ブロックであって、電源を必要とするものには、不図示の電池（バッテリパック）から電力が供給されるようになっている。
【００３９】
ＳＷ１は上述した電源ダイヤルの回転位置に連動してオン／オフする電源スイッチであり、該電源ダイヤルをオン位置にセット（オン操作）するとオンとなり、該電源ダイヤルをオフ位置にセット（オフ操作）するとオフとなる。ＳＷ２は上述したレリーズボタンを半押し位置まで押下することによりオンし、その後の該レリーズボタンのさらなる押し込みでもオンを保持し、該レリーズボタンの半押し位置から押し込みを解除するとオフする半押しスイッチである。ＳＷ３は上述したレリーズボタンを全押し位置まで押下することによりオンし、該レリーズボタンの全押し位置から押し込みを解除するとオフする全押しスイッチである。
【００４０】
ＳＷ４は上述した撮影動作モードボタンの押し込みによりオンし、該撮影動作モードボタンの押し込みの解除によりオフする撮影動作モードスイッチである。ＳＷ５，ＳＷ６は上述したコマンドダイヤルの回転によりオン／オフするスイッチであり、該コマンドダイヤルの回転方向の判別に使用する。
【００４１】
ＣＣＤ等からなる撮像素子１０は、撮影レンズＣＬを透過した被写体光を受光して画像信号（蓄積電荷としてのアナログ信号）を出力する。この撮像素子１０の感度は、例えば、ＩＳ０１００相当等の所定の感度ＳＶが設定される。撮像素子１０からの画像信号は、Ａ／Ｄ変換回路１０３に供給され、ゲイン調整などの処理が行われた後に、デジタル信号に変換され、画像処理回路１０５に送られる。タイミング回路１０４は、撮像素子１０を駆動するタイミング信号及びＡ／Ｄ変換回路１０３に駆動するタイミング信号を出力する。
【００４２】
画像処理回路１０５は、ＡＳＩＣ（Application Specific Integrated Circuit）等で構成され、デジタル信号である原画像データに対しててホワイトバランス（ＷＢ）調整、輪郭補償、ガンマ補正などの画像処理を行うとともに、前述のＡ／Ｄ変換回路１０３から出力されるデジタル信号の原画像データを後述のバッファメモリ１０６へ出力する。また原画像データを画像処理した後に、所定の形式で圧縮する圧縮処理、圧縮されたデータを伸長する伸長処理等を行う。さらに圧縮処理後の画像データを後述の記録媒体１０７へ出力する。
【００４３】
バッファメモリ１０６は、原画像データや圧縮処理後の圧縮画像データを一時的に格納するためのメモリであり、ＳＲＡＭ、ＶＲＡＭ、ＳＤＲＡＭ等を用いることができる。記録媒体１０７はフラッシュメモリなどから構成されるメモリカード等であって、圧縮処理後の画像データ（静止画、動画）を記録するものであり、カメラに対して着脱可能に構成されている。
【００４４】
表示駆動回路１０８は、入力された画像信号（スルー画像や、記録媒体１０７に記録された画像の再生画像など）を画像表示モニタ１７に出力して、当該画像を表示させるために画像表示モニタ１７を駆動する回路である。測光装置１１０は、ＩＣ等から構成され、撮影レンズＣＬを透過し、測光素子１４の検出値に基づいてレンズ透過光量を検出する。情報表示パネル（液晶素子等）１１１は表示駆動回路等を備え、撮影動作モード、シャッタ速度、絞り値などを表示する。
【００４５】
シャッタ駆動回路１１２は、シャッタ１１の先幕及び後幕の保持並びにそれぞれの解除を制御する。なお、シャッタ１１は後述する不図示のシーケンス駆動装置のミラーアップ途中でチャージの解除がなされるので、シーケンス駆動装置によるミラーアップ動作前にシャッタ１１の先幕及び後幕の保持を行う必要がある。
【００４６】
モータ駆動回路１１４は、シーケンスモータ１１５の回転を制御する。シーケンスモータ１１５は既に公知で不図示のシーケンス駆動装置に組み込まれ、このシーケンス駆動装置を駆動することにより、クイックリターンミラー（以下、単にミラーともいう）ＲＭのアップ・ダウン、絞り２２の絞り込み・開放復帰、シャッタ１１のチャージを行う。なお、以下の説明においては、ミラーアップとは、クイックリターンミラーＲＭを第１姿勢から第２姿勢へ切り換える動作又は該第２姿勢に設定された状態をいい、ミラーダウンとは、クイックリターンミラーＲＭを第２姿勢から第１姿勢へ切り換える動作又は該第１姿勢に設定された状態をいうものとする。
【００４７】
シーケンス駆動装置は、シーケンススイッチＳＷ７を備えており、シーケンススイッチＳＷ７は、ミラーアップ動作開始直後からオフとなり、ミラーアップ完了直前からミラーアップ中にオンとなる。また、ミラーダウン開始直後からオフとなり、ミラーダウン直前からミラーダウン中オンとなる。このようなタイミングでオン／オフするこのシーケンススイッチＳＷ７の状態により、シーケンスモータ１１５の駆動及びブレーキの制御を行うことで、シーケンス駆動装置の動作を制御することが可能となる。
【００４８】
即ち、まず、シーケンス駆動装置がミラーダウン状態でシーケンスモータ１１５が停止している状態では、シーケンススイッチＳＷ７はオン状態を保っている。ミラーアップのためにシーケンスモータ１１５を正転すると、シーケンス駆動装置が作動して若干の時間遅れでシーケンススイッチＳＷ７がオフする。シーケンスモータ１１５の正転を継続すると、シーケンス駆動装置の作動によりミラーアップ及び絞り２２の絞込みが行われる。さらに、シーケンスモータ１１５の正転を継続すると、シーケンス駆動装置の作動によってミラーアップ完了の直前にシーケンススイッチＳＷ７がオンするので、ここでシーケンスモータ１１５のブレーキ制御を行ってシーケンスモータ１１５を停止して、シーケンス駆動装置によるミラーアップ動作を停止する。
【００４９】
なお、絞り２２の絞込み動作は、ミラーアップ完了までには終了するようにシーケンス駆動装置が構成されている。一方、ミラーアップ状態ではシーケンススイッチＳＷ７はオン状態を維持している。ミラーダウンのためにシーケンスモータ１１５を逆転すると、不図示のシーケンス駆動装置が作動して若干の時間遅れで、シーケンススイッチＳＷ７がオフする。シーケンスモータ１１５の逆転を継続すると、シーケンス駆動装置の作動によりミラーダウンが行われ、また絞り２２が係止されている場合には、係止の解除がなされるとともに、絞り２２の開放への復帰が行われる。
【００５０】
また、絞り２２が係止されている場合には、係止の解除がなされるとともに、絞りの開放への復帰が行われ、さらに後述のシャッタ１１３のチャージが行われる。さらに、シーケンスモータ１１５の逆転を継続すると、シーケンス駆動装置の作動によって、ミラーダウン完了の直前にシーケンススイッチＳＷ７がオンするので、ここでシーケンスモータ１１５のブレーキ制御を行って、シーケンスモータ１１５を停止し、シーケンス駆動装置によるミラーダウン動作を停止する。なお、絞り２２の開放復帰及びシャッタ１１のチャージはミラーダウン完了までには終了するようにシーケンス駆動装置が構成されている。
【００５１】
絞り位置検出装置１１６は、シーケンス駆動装置により絞りが絞り込まれるときの絞りの位置をパルスとして検出して出力する。１１７は絞り係止装置であり、この絞り係止装置１１７を作動させることにより、絞り２２が係止されて絞り２２の絞込みが停止するようになっている。なお、この絞り係止装置１１７による絞り２２の係止は、シーケンス駆動装置のミラーダウン途中に解除されるようにシーケンス駆動装置が構成されている。焦点検出装置２０は、撮影レンズＣＬによる焦点位置の調節状態を検出して出力する。レンズ駆動装置１１９は、撮影レンズＣＬのフォーカスレンズを光軸ＡＸ方向に進退駆動し、撮影レンズＣＬの焦点位置を調節する。
【００５２】
〔制御系による処理〕
次に、制御装置１０１による撮影動作モードに応じた処理を、図３〜図１２に示すフローチャートを参照して説明する。この電子カメラＣＭに不図示の電池が装填されると、プログラムがスタートし、図３のＳ１から順次各ステップが実行される。
【００５３】
（メイン処理）
図３は制御装置によって実行される撮影動作モードに関する処理のメイン処理を示している。図３において、まず、初期設定を行う（Ｓ１）。即ち、撮影動作モードパラメータ（モード設定フラグ）Ｍに、初期値として「１」を設定し、モード記憶パラメータＭＭに初期値として「１」を設定する。ここで、撮影動作モードパラメータＭが「１」のときは静止画の１コマ撮影モード、「２」のときは静止画の連続撮影モード、「３」のときはライブビューモード、「４」のときは動画モードを示すものとする。モード記憶パラメータＭＭは、ライブビューモード又は動画モードに設定する前に、静止画の１コマ撮影モード又は連続撮影モードの何れに設定されていたかを示すパラメータであり、「１」のときは１コマ撮影モードを、「２」のときは連続撮影モードを示す。
【００５４】
次に、電源ダイヤルがオン位置に設定されているか否かを電源スイッチＳＷ１のオン／オフにより判定する（Ｓ２）。電源ダイヤルがオン位置に設定されていると判定した場合（Ｙの場合）にはＳ３へ進み、オフ位置に設定されていると判定した場合（Ｎの場合）には電源ダイヤルがオン位置に設定されていると判定するまでＳ２に留まる。
【００５５】
次いで、設定処理（図４）を行い（Ｓ３）、撮影動作モードパラメータＭの値が「４」であるか否かの判定を行い（Ｓ４）、「４」である場合（Ｙの場合）には、動画モードであると判断してＳ８（図１０〜図１２）へ進み、「４」でない場合（Ｎの場合）には、更に撮影動作モードパラメータＭの値が「３」であるか否かの判定を行う（Ｓ５）。Ｓ５において、撮影動作モードパラメータＭの値が「３」である場合（Ｙの場合）には、ライブビューモードであると判断してＳ７（図７、図８、図９）へ進み、「３」でない場合（Ｎの場合）には静止画の１コマ撮影モード又は静止画の連続撮影モードであると判断してＳ６（図５、図６）へ進む。Ｓ６，Ｓ７，Ｓ８の実行後は、Ｓ２に戻る。
【００５６】
（設定処理）
図３の設定処理Ｓ３の詳細は、図４に示されている。図４において、まず、不図示の撮影動作モードボタンが押下されたか否かを撮影動作モードスイッチＳＷ４のオン／オフにより判定する（Ｓ１１）。撮影動作モードスイッチＳＷ４がオンで撮影動作モードボタンが押下されていると判定した場合（Ｙの場合）にはＳ１２へ進み、撮影動作モードスイッチＳＷ４がオフで撮影動作モードボタンが押下されていないと判定した場合（Ｎの場合）にはリターンし、図３のＳ４に進む。
【００５７】
次に、Ｓ１２において、コマンドダイヤルの反時計回転をスイッチＳＷ５，ＳＷ６のオン／オフにより判定する。コマンドダイヤルの反時計回転がなされたと判定した場合（Ｙの場合）には、撮影動作モードパラメータＭが「４」であるか否かの判定を行い（Ｓ１３）、「４」でない場合（Ｎの場合）には、撮影動作モードパラメータＭの値に「１」を加算し（Ｓ１４）、「４」である場合（Ｙの場合）には、撮影動作モードパラメータＭの値に「１」を設定して、それぞれＳ２０へ進む。
【００５８】
Ｓ１２〜Ｓ１５により、コマンドダイヤルの反時計回転に応じて、撮影動作モードパラメータＭの値は「１」→「２」→「３」→「４」→「１」→「以下同様」と順次変化する。即ち、「１コマ撮影モード」→「連続撮影モード」→「ライブビューモード」→「動画モード」→「１コマ撮影モード」→「以下同様」と順次変化する。
【００５９】
Ｓ１２において、コマンドダイヤルの反時計回転がなされていないと判定した場合（Ｎの場合）には、コマンドダイヤルの時計回転をＳＷ５，ＳＷ６のオン／オフにより判定し（Ｓ１６）、コマンドダイヤルの時計回転がなされていないと判定した場合（Ｎの場合）には、Ｓ２０へ進む。Ｓ１６において、コマンドダイヤルの時計回転がなされたと判定した場合（Ｙの場合）には、撮影動作モードパラメータＭが「１」であるか否かの判定を行い（Ｓ１７）、「１」でない場合（Ｎの場合）には、撮影動作モードパラメータＭの値から「１」を減算し（Ｓ１８）、「１」である場合（Ｙの場合）には、撮影動作モードパラメータＭの値を「４」に設定して、それぞれＳ２０へ進む。
【００６０】
Ｓ１６〜Ｓ１９により、コマンドダイヤルの時計回転に応じて、撮影動作モードパラメータＭの値は「４」→「３」→「２」→「１」→「４」→「以下同様」と順次変化する。即ち、「動画モード」→「ライブビューモード」→「連続撮影モード」→「１コマ撮影モード」→「動画モード」→「以下同様」と順次変化する。
【００６１】
次いで、Ｓ２０において、撮影動作モードパラメータＭの値により設定されている撮影動作モードを情報表示パネル１１１に表示する。この表示の後、電源ダイヤルがオフ位置に設定されているか否かを、電源スイッチＳＷ１のオン／オフにより判定する（Ｓ２１）。Ｓ２１において、電源ダイヤルがオフ位置に設定されていると判定した場合（Ｙの場合）には、設定処理が中断されたと判断して、図３のＳ２に戻る。Ｓ２１において、電源ダイヤルがオン位置に設定されていると判定した場合（Ｎの場合）には、Ｓ１１と同様に、撮影動作モードボタンが押下されたか否かを、撮影動作モードスイッチＳＷ４のオン／オフにより判定する（Ｓ２２）。
【００６２】
Ｓ２２において、撮影動作モードスイッチＳＷ４がオンで撮影動作モードボタンが押下されていると判定した場合（Ｙの場合）にはＳ１２へ戻り、撮影動作モードスイッチＳＷ４がオフで撮影動作モードボタンが押下されていないと判定した場合（Ｎの場合）にはＳ２３へ進む。即ち、撮影動作モードボタンが押下されているときには、撮影動作モードの設定操作が継続していると判断してＳ１２に戻って設定の処理を継続し、撮影動作モードボタンが押下されていないときには設定操作が終了したと判断してＳ２３へ進む。
【００６３】
次いで、Ｓ２３において、撮影動作モードパラメータＭの値が「２」以下であるか否かの判定を行い、「２」以下の場合（Ｙの場合）には、静止画の１コマ撮影モード又は静止画の連続撮影モードに設定されていると判断してＳ２４へ進み、撮影動作モードパラメータＭの値が「２」を越えている場合（Ｎの場合）には、ライブビューモード又は動画モードに設定されていると判断してリターンし、図２のＳ４に進む。次いで、Ｓ２４において、モード記憶パラメータＭＭの値に撮影動作モードパラメータＭの現在の値を設定して、リターンし、図２のＳ４に進む。即ち、これらのＳ２３，Ｓ２４では、撮影動作モードが静止画の１コマモード又は静止画の連続撮影モードに設定された場合に、その撮影動作モードを制御装置１０１内のメモリ（不図示）にモード記憶パラメータとして記憶するようにしている。
【００６４】
（静止画モード）
図３の静止画モードＳ６における処理の詳細は、図５及び図６に示されている。図５において、まず、電源ダイヤルがオフ位置に設定されているか否かを、電源スイッチＳＷ１のオン／オフにより判定し（Ｓ３１）、電源ダイヤルがオフ位置に設定されていると判定した場合（Ｙの場合）にはリターンして、図３のＳ２に進み、電源ダイヤルがオン位置に設置されていると判定した場合（Ｎの場合）にはＳ３２に進んで、図３のＳ３と同様に、図４の設定処理を行う（Ｓ３２）。
【００６５】
次いで、撮影動作モードパラメータＭの値が「４」であるか否かの判定を行い（Ｓ３３）、「４」である場合（Ｙの場合）には、動画モードと判断して、上述した図３のＳ８へ進み、「４」でない場合（Ｎの場合）には、更に撮影動作モードパラメータＭの値が「３」であるか否かを判定する（Ｓ３４）。Ｓ３４において、撮影動作モードパラメータＭの値が「３」である場合（Ｙの場合）には、ライブビューモードと判断して、上述した図３のＳ７へ進み、「３」でない場合（Ｎの場合）には、静止画の１コマ撮影モード又は静止画の連続撮影モードと判断して、Ｓ３５に進む。
【００６６】
Ｓ３５において、残コマ数を算出する。残コマ数とは、この電子カメラＣＭに装着されている記録媒体１０７に対して、今後記録できる静止画の枚数（コマ数）のことであり、装着された記録媒体１０７の全記録容量のうち静止画の記録のために割り当てられている所定の記録容量（予め設定されている）から既に記録されている静止画が占有している記録容量を差し引いたものを、１枚（１コマ）の静止画の記録容量で割り算し、端数を切り捨てることにより算出される。
【００６７】
なお、ここでは、記録媒体１０７の全記録容量のうち、静止画を記録するための所定の記録容量と、動画を記録するための所定の記録容量とを、別々に確保しているものとして説明しているが、これらを分けることなく、一体として取り扱っても勿論よい。この場合には、残コマ数は、記録媒体１０７の全記録容量のうち静止画及び動画の記録のために割り当てられている所定の記録容量（予め設定されている）から既に記録されている静止画及び動画が占有している記録容量を差し引いたものに基づき算出される。また、静止画及び／又は動画についての前記所定の記録容量は、記録媒体１０７の全記録容量の一部であるものとして説明しているが、全部であっても勿論よい。
【００６８】
次いで、Ｓ３６において、残コマ数があるか否か、即ち静止画の記録が該静止画について予め設定された所定の記録容量を越えているか否かを判定し、残コマ数がある（１以上の）場合（Ｙの場合）には、撮影動作モードと残コマ数を情報表示パネル１１１に表示し（Ｓ３７）、次にレリーズボタンが半押し位置まで押し下げられたか否かを半押しスイッチＳＷ２のオン／オフにより判定し（Ｓ３８）、レリーズボタンが半押し位置まで押し下げられていないと判定した場合（Ｎの場合）には、Ｓ３１に戻り、レリーズボタンが半押し位置まで押し下げられたと判定した場合（Ｙの場合）には、測光装置１１０により撮影レンズを透過したレンズ透過光量を検出する（Ｓ３９）。
【００６９】
次に、Ｓ３９にて検出したレンズ透過光量に基づいて、露出演算を行い、制御シャッタ速度と制御絞り値を算出するとともに、制御絞り値から制御すべき絞込み段数に相当する制御絞りパルス数Ｐｃを算出する（Ｓ４０）。次いで、Ｓ４０にて算出したシャッタ速度と絞り値を情報表示パネル１１１に表示し（Ｓ４１）、レリーズボタンが全押し位置まで押し下げられたか否かを、全押しスイッチＳＷ３のオン／オフにより判定する（Ｓ４２）。Ｓ４２において、レリーズボタンが全押し位置まで押し下げられたと判定した場合（Ｙの場合）には、Ｓ４３に進んで、撮影動作を行うレリーズシーケンス（図６）を実行し、レリーズボタンが全押し位置まで押し下げられていないと判定した場合（Ｎの場合）にはＳ４４へ進む。
【００７０】
Ｓ４４において、焦点検出装置２０により撮影レンズＣＬの焦点調節状態を検出し、次に撮影レンズＣＬの焦点調節状態が合焦状態であるか否かの判定を行い（Ｓ４５）、合焦状態でないと判定した場合（Ｎの場合）には、焦点検出装置２０の焦点調節状態の検出結果に基づいて、フォーカスレンズの駆動量を算出し（Ｓ４６）、レンズ駆動装置１１９により撮影レンズＣＬのフォーカスレンズをＳ４６にて算出した駆動量だけ駆動させ、合焦状態になるようにした後（Ｓ４７）、Ｓ３８に戻る。Ｓ４５において、合焦状態であると判定した場合（Ｙの場合）には、情報表示パネル１１１に合焦状態である旨を表示して（Ｓ４８）、Ｓ３８に戻る。
【００７１】
Ｓ３６において、残コマ数がない（０である）場合（Ｎの場合）には、残コマ数がない旨、即ちこれ以上記録できない旨を情報表示パネル１１１に表示し（Ｓ４９）、次に電源ダイヤルがオフ位置に設定されているか否かを、電源スイッチＳＷ１のオン／オフにより判定する（Ｓ５０）。Ｓ５０において、電源ダイヤルがオフ位置に設定されていると判定した場合（Ｙの場合）には、リターンし、図３のＳ２に進む。電源ダイヤルがオン位置に設定されていると判定した場合（Ｎの場合）には、Ｓ３５に戻る。なお、Ｓ５０において、電源ダイヤルがオン位置に設定されていると判定してＳ３５に戻る場合には、見かけ上、無限ループとなることになるが、この間、撮影者は、記録媒体１０７から不要な静止画や動画を削除する操作を行って記録容量を確保し、あるいは記録媒体１０７を新たな記録媒体に交換する等の作業を行うことにより、Ｓ３６において、残コマ数があると判定され、このループを抜け出すことができる。
【００７２】
（レリーズシーケンス）
図５のレリーズシーケンスＳ４３における処理の詳細は、図６に示されている。図６において、まず、シャッタ駆動回路１１２によりシャッタ１１の不図示のマグネットに通電を行うことによりシャッタ１１の先幕及び後幕の保持を行い（Ｓ６１）、モータ駆動回路１１４によりシーケンスモータ１１５の正転を開始させる（Ｓ６２）。これにより、クイックリターンミラーＲＭのミラーアップ動作、及び絞り２２の絞込みが開始される。次に、絞り位置検出装置１１６により駆動絞りパルスＰｋを検出し（Ｓ６３）、制御パルスＰｃとＳ６３にて検出した駆動絞りパルスＰｋとを比較する（Ｓ６４）。
【００７３】
Ｓ６４において、検出した駆動絞りパルスＰｋが制御パルスＰｃ未満であると判定した場合（Ｎの場合）には、Ｓ６３に戻り、検出した駆動絞りパルスＰｋが制御パルスＰｃ以上であると判定した場合（Ｙの場合）には、絞り係止装置１１７を作動させて絞り２２を係止し、絞り２２の絞込みを停止させる（Ｓ６５）。次に、シーケンススイッチＳＷ７の状態により、ミラーアップが完了したか否かを判定し（Ｓ６６）、ミラーアップ完了と判断できるまでＳ６６に留まり、ミラーアップ完了と判定した場合（Ｙの場合）には、モータ駆動回路１１４によりシーケンスモータ１１５の正転を停止する（Ｓ６７）。なお、この停止処理の際には逆通電ブレーキやショートブレーキ等のブレーキ処理により、シーケンスモータ１１５の停止は瞬時に行われ、オーバーランは無視できる程度である。また、上記Ｓ６６によりミラーアップと判定するまでには、絞り係止装置１１７による絞り２２の係止が完了するように、シーケンス駆動装置は構成されているものとする。
【００７４】
次に、ミラーアップ動作に伴うクイックリターンミラーＲＭの振動（バウンド）が収束するまでの所定の時間だけウエイトし（Ｓ６８）、撮像素子１０の電荷蓄積を開始する（Ｓ６９）。なお、シャッタ１１の先幕の保持を解除するまで、撮像素子１０には撮影レンズＣＬを透過した光は到達しない。次に、シャッタ駆動回路１１２によりシャッタ１１の不図示のマグネットの通電を解除して、シャッタ１１の先幕の保持を解除し、先幕の走行を開始させる（Ｓ７０）。これにより撮像素子１０に撮影レンズＣＬを透過した光が到達する。
【００７５】
その後、前述のＳ４０における露出演算にて算出した制御シャッタ速度に相当する時間が経過した後に、シャッタ駆動回路１１２により、シャッタ１１の後幕の保持を解除し（Ｓ７１）、シャッタ１１の後幕の保持を解除した後、後幕が撮影面を走行完了する時間だけウエイトする（Ｓ７２）。これは、撮像素子１０の撮像面がシャッタ１１の後幕により完全に遮蔽されるまでは、電荷の蓄積を行ってシャッタ１１の後幕によって遮蔽されていない部分の撮像を継続する必要があるからである。
【００７６】
シャッタ１１の後幕の走行が完了したならば、前述のＳ６９にて開始した撮像素子１０の電荷の蓄積を終了し（Ｓ７３）、モータ駆動回路１１４によりシーケンスモータ１１５の逆転を開始する（Ｓ７４）。これによりミラーダウン、絞り２２の開放復帰が開始される。その後、撮像素子１０に蓄積された電荷をタイミング回路１０４の発生するタイミングパルスによりアナログの画像信号として読み出し（Ｓ７５）、タイミング回路１０４の発生するタイミングパルスによりＡ／Ｄ変換回路１０３に入力して、このＡ／Ｄ変換回路１０３にてゲイン調整などの処理を行った後に、デジタル信号に変換して原画像データとする。
【００７７】
次に、Ａ／Ｄ変換回路１０３にてデジタル信号に変換された原画像データを、ＡＳＩＣ等で構成される画像処理回路１０５にて、ホワイトバランス調整、輪郭補償、ガンマ補正等の画像処理を行い（Ｓ７６）、Ｓ７６にて画像処理された処理画像データは、さらに画像処理回路１０５により圧縮処理が施されて圧縮画像データが作成される（Ｓ７７）。画像処理回路１０５により作成された圧縮画像データは、メモリカードなどの記録媒体１０７に記録される（Ｓ７８）。
【００７８】
その後、シーケンススイッチＳＷ７の状態により、ミラーダウンが完了したか否かを判定し（Ｓ７９）、ミラーダウンと判定した場合（Ｙの場合）にはＳ８０へ進み、ミラーダウンでないと判定した場合（Ｎの場合）はＳ７９に留まる。なお、画像処理回路１０５により作成された圧縮画像データを記録媒体１０７に記録するためには、比較的時間がかかるが、本実施形態ではミラーダウン終了までに完了するものとする。
【００７９】
次に、ミラーダウン動作終了のため、モータ駆動回路１１４によりシーケンスモータ１１５の逆転を停止する（Ｓ８０）。なお、この停止処理の際には逆通電ブレーキやショートブレーキ等のブレーキ処理により、シーケンスモータ１１５の停止は瞬時に行われ、オーバーランは無視できる程度である。その後、撮影動作モードパラメータＭの値が「１」であるか否かの判定を行い（Ｓ８１）、「１」であるの場合（Ｙの場合）には、１コマ撮影モードに設定されていると判断してＳ８２へ進み、「１」以外の場合（Ｎの場合）には、１コマ撮影モードに設定されていないと判断して、リターンし、図５のＳ３１に進む。
【００８０】
Ｓ８２において、レリーズボタンの全押し位置までの押し下げが解除されたか否かを、全押しスイッチＳＷ３のオン／オフにより判定し、解除されたと判定した場合（Ｙの場合）には、リターンし、図５のＳ３１に進み、解除されていないと判定した場合（Ｎの場合）にはＳ８２に留まる。これらのＳ８１，８２は、１コマ撮影モードに設定されている場合には、レリーズボタンの全押し位置までの押し下げが解除されるまでは、次の処理に移らないようになっていることを示している。
【００８１】
（ライブビューモード）
図３のライブビューモードＳ７における処理の詳細は、図７〜図９に示されている。図７において、まず、電源ダイヤルがオフ位置に設定されているか否かを、電源スイッチＳＷ１のオン／オフにより判定し（Ｓ９１）、電源ダイヤルがオフ位置に設定されていると判定した場合（Ｙの場合）には、Ｓ１１１へ進み、電源ダイヤルがオン位置に設置されていると判定した場合（Ｎの場合）にはＳ９２に進んで、図３のＳ３と同様に、図４の設定処理を行う（Ｓ９２）。
【００８２】
次いで、撮影動作モードパラメータＭの値が「４」であるか否かの判定を行い（Ｓ９３）、「４」である場合（Ｙの場合）には、動画モードと判断して、上述した図３のＳ８へ進み、「４」でない場合（Ｎの場合）には、更に撮影動作モードパラメータＭの値が「２」以下であるか否かを判定する（Ｓ９４）。Ｓ９４において、撮影動作モードパラメータＭの値が「２」以下である場合（Ｙの場合）には、静止画の１コマ撮影モード又は静止画の連続撮影モードと判断して、上述した図３のＳ６へ進み、「２」を越えている場合（Ｎの場合）、即ち「３」の場合には、ライブビューモードと判断して、Ｓ９５に進む。
【００８３】
Ｓ９５において、図５のＳ３５と同様に、残コマ数を算出した後、図５のＳ３６と同様に、残コマ数があるか否か、即ち、静止画の記録が該静止画について予め設定された所定の記録容量を越えているか否かを判定し（Ｓ９６）、残コマ数がある（１以上の）場合（Ｙの場合）には、撮影動作モードがライブビューモードであることと、残コマ数を情報表示パネル１１１に表示する（Ｓ９７）。次に、レリーズボタンが半押し位置まで押し下げられたか否かを半押しスイッチＳＷ２のオン／オフにより判定し（Ｓ９８）、レリーズボタンが半押し位置まで押し下げられていないと判定した場合（Ｎの場合）には、Ｓ９１に戻り、レリーズボタンが半押し位置まで押し下げられたと判定した場合（Ｙの場合）には、測光装置１１０により撮影レンズＣＬを透過したレンズ透過光量を検出する（Ｓ９９）。
【００８４】
次に、Ｓ９９にて検出したレンズ透過光量に基づいて露出演算を行い、制御シャッタ速度と制御絞り値を算出するとともに、制御絞り値から制御すべき絞込み段数に相当する制御絞りパルス数Ｐｃを算出する（Ｓ１００）。次いで、Ｓ１００にて算出したシャッタ速度と絞り値を情報表示パネル１１１に表示し（Ｓ１０１）、焦点検出装置２０により撮影レンズＣＬの焦点調節状態を検出し（Ｓ１０２）、撮影レンズＣＬの焦点調節状態が合焦状態であるか否かの判定を行う（Ｓ１０３）。
【００８５】
Ｓ１０３において、合焦状態であると判定した場合（Ｙの場合）には、情報表示パネル１１１に合焦状態である旨を表示し（Ｓ１０４）、次に、レリーズボタンが全押し位置まで押し下げられたか否かを全押しスイッチＳＷ３のオン／オフにより判定する（Ｓ１０５）。Ｓ１０５において、レリーズボタンが全押し位置まで押し下げられたと判定した場合（Ｙの場合）には、Ｓ１０６に進んで、画像表示モニタ１７にリアルタイム画像（動画）を表示するライブビューシーケンス（図８，図９）の実行を開始した後に、Ｓ９１に戻る。Ｓ１０５において、レリーズボタンが全押し位置まで押し下げられていないと判定した場合（Ｎの場合）にはＳ９８に戻る。
【００８６】
Ｓ１０３において、合焦状態でないと判定した場合（Ｎの場合）には、焦点検出装置２０の焦点調節状態の検出結果に基づいて、フォーカスレンズの駆動量を算出し（Ｓ１０７）、レンズ駆動装置１１９により撮影レンズＣＬのフォーカスレンズをＳ１０７にて算出した駆動量だけ駆動させ、合焦状態になるようにした後（Ｓ１０８）、Ｓ９８に戻る。
【００８７】
Ｓ９６において、残コマ数がない（０である）場合（Ｎの場合）には、残コマ数がない旨、即ちこれ以上記録できない旨を情報表示パネル１１１に表示し（Ｓ１０９）、電源ダイヤルがオフ位置に設定されているか否かを、電源スイッチＳＷ１のオン／オフにより判定する（Ｓ１１０）。Ｓ１１０において、電源ダイヤルがオフ位置に設定されていると判定した場合（Ｙの場合）には、Ｓ１１１に進み、電源ダイヤルがオン位置に設定されていると判定した場合（Ｎの場合）には、Ｓ９５に戻る。なお、Ｓ１１０において、電源ダイヤルがオン位置に設定されていると判定してＳ９５に戻る場合には、見かけ上、無限ループとなることになるが、この間、撮影者は、記録媒体１０７から不要な静止画や動画を削除する操作を行って記録容量を確保し、あるいは記録媒体１０７を新たな記録媒体に交換する等の作業を行うことにより、Ｓ９６において、残コマ数があると判定され、このループを抜け出すことができる。
【００８８】
Ｓ９１で電源オフと、Ｓ１１０で電源オフと判定された場合には、Ｓ１１１において、撮影動作モードパラメータＭにモード記憶パラメータＭＭの値（図４のＳ２４で記憶された値）をセットする。これにより撮影動作モードがライブビューモードから１コマ撮影モードと連続撮影モードのうちの直近に設定されたモードに変更されることになる。これは、残コマ数がないこと、又はライブビューモード処理中に電源をオフにする操作（中断条件を満たす操作）を行ったことによるものである。Ｓ１１１の実行後はリターンし、図３のＳ２に進む。
【００８９】
（ライブビューシーケンス）
図７のライブビューシーケンスＳ１０６における処理の詳細は、図８及び図９に示されている。図８において、まず、シャッタ駆動回路１１２によりシャッタ１１の不図示のマグネットに通電を行うことにより、シャッタ１１の先幕及び後幕の保持を行い（Ｓ１２１）、モータ駆動回路１１４によりシーケンスモータ１１５の正転を開始させる（Ｓ１２２）。これにより、クイックリターンミラーＲＭのミラーアップ動作、及び絞り２２の絞込みが開始される。次に、絞り位置検出装置１１６により駆動絞りパルスＰｋを検出し（Ｓ１２３）、制御パルスＰｃとＳ１２３にて検出した駆動絞りパルスＰｋとを比較する（Ｓ１２４）。
【００９０】
Ｓ１２４において、検出した駆動絞りパルスＰｋが制御パルスＰｃ未満であると判定した場合（Ｎの場合）には、Ｓ１２３に戻り、検出した駆動絞りパルスＰｋが制御パルスＰｃ以上であると判定した場合（Ｙの場合）には、絞り係止装置１１７を作動させて絞り２２を係止し、絞り２２の絞込みを停止させる（Ｓ１２５）。次に、シーケンススイッチＳＷ７の状態により、ミラーアップが完了したか否かを判定し（Ｓ１２６）、ミラーアップ完了と判断できるまでＳ１２６に留まり、ミラーアップ完了と判定した場合（Ｙの場合）には、モータ駆動回路１１４によりシーケンスモータ１１５の正転を停止する（Ｓ１２７）。なお、この停止処理の際には逆通電ブレーキやショートブレーキ等のブレーキ処理により、シーケンスモータ１１５の停止は瞬時に行われ、オーバーランは無視できる程度である。また、上記Ｓ１２６によりミラーアップと判定するまでには、絞り係止装置１１７による絞り２２の係止が完了するように、シーケンス駆動装置は構成されているものとする。
【００９１】
次に、シャッタ駆動回路１１２によりシャッタ１１３の不図示のマグネットの通電を解除して、シャッタ１１３の先幕の保持を解除し、先幕の走行を開始させる（Ｓ１２８）。これにより、撮像素子１０に撮影レンズＣＬを透過した光が到達する。シャッタ１１の先幕の保持を解除した後、先幕が撮影素子１０の撮像面を走行完了する時間だけウエイトする（Ｓ１２９）。これは、撮像素子１０の撮像面のシャッタ１１の先幕による遮蔽が完全になくなるまで待つためである。
【００９２】
次に、撮像素子１０の電荷蓄積を開始する（Ｓ１３０）。なお、シャッタ１１の先幕の保持を解除するまで、撮像素子１０には撮影レンズＣＬを透過した光は到達しない。シャッタ１１の先幕による撮像素子１０の遮蔽が完全になくなった後、即ち撮像素子１０に撮影レンズＣＬを透過した光が到達している状態で、リアルタイム画像表示（ライブビュー）を行うため、露光時間の制御としての蓄積時間制御を行う（Ｓ１３１）。この制御は、いわゆる電子シャッタ制御によって行う。
【００９３】
１フレームの蓄積時間が経過すると、撮像素子１０から出力される撮像信号を受けることにより画像の取り込みを行い（Ｓ１３２）、Ｓ１３２で取り込まれた画像データにホワイトバランス調整、輪郭補償、ガンマ補正などの画像処理を行い（Ｓ１３３）、更にＳ１３３にて処理された画像データを圧縮処理する（Ｓ１３４）。
【００９４】
次に、Ｓ１３４にて圧縮された画像データを、表示駆動回路１０８を介して画像表示モニタ１７に動画として再生表示する（Ｓ１３５）。その後、撮像素子１０による撮像信号を用いて撮影画像の輝度を測定し、電子シャッタとしてのシャッタ速度を算出する（Ｓ１３６）。その後、電源ダイヤルがオフ位置に設定されているか否かを、電源スイッチＳＷ１のオン／オフにより判定する（Ｓ１３７）。Ｓ１３７において、電源ダイヤルがオン位置に設定されていると判定した場合（Ｎの場合）には、次に、レリーズボタンが一旦オフ位置まで押し下げ解除された後に再度半押し位置まで押し下げられたか否かを判定する（Ｓ１３８）。Ｓ１３８において、レリーズボタンが一旦オフ位置まで押し下げ解除された後に半押し位置まで再度押し下げられたと判定した場合（Ｙの場合）には、ライブビュー動作（ライブビューモード）の正常終了を行うために図９のＳ１５１へ進む。一方、レリーズボタンが一旦オフ位置まで押し下げ解除された後に半押し位置まで再度押し下げられていないと判定した場合（Ｎの場合）には、Ｓ１３１に戻る。
【００９５】
Ｓ１３７において、電源ダイヤルがオフ位置に設定されていると判定した場合（Ｙの場合）には、Ｓ１３９へ進む。即ち、電源ダイヤルがオフすると、ライブビューモードにおける画像表示モニタ１７によるリアルタイム画像表示を中断して、ミラーダウン処理に移行する。Ｓ１３９において、撮像素子１０の電荷の蓄積を終了し、次に、シャッタ駆動回路１１２によりシャッタ１１の後幕の保持を解除する（Ｓ１４０）。これにより、シャッタ１１の後幕が走行して撮像素子１０はシャッタ１１の後幕により遮蔽される。
【００９６】
次に、モータ駆動回路１１４によりシーケンスモータ１１５の逆転を開始する（Ｓ１４１）。これによりミラーダウン、絞り２２の開放復帰が開始される。その後、シーケンススイッチＳＷ７の状態により、ミラーダウンが完了したか否かを判定し（Ｓ１４２）、ミラーダウンと判定した場合（Ｙの場合）には、Ｓ１４３へ進み、ミラーダウンでないと判定した場合（Ｎの場合）には、Ｓ１４２に留まる。次に、ミラーダウン動作終了のため、モータ駆動回路１１４によりシーケンスモータ１１５の逆転を停止する（Ｓ１４３）。なお、この停止処理の際には逆通電ブレーキやショートブレーキなどのブレーキ処理により、シーケンスモータ１１５の停止は瞬時に行われ、オーバーランは無視できる程度である。
【００９７】
次に、撮影動作モードパラメータＭにモード記憶パラメータＭＭの値（図４のＳ２４で記憶した値）をセットする（Ｓ１４４）。これにより、撮影動作モードがライブビューモードから１コマ撮影モードと連続撮影モードのうちの直近に設定されたモードに変更される。これは、ライブビューモードにおける画像表示モニタ１７に表示されるリアルタイム画像表示を、電源オフにより中断したことによるものである。その後、リターンし、図７のＳ９１に進む。
【００９８】
Ｓ１３８において、レリーズボタンが一旦オフ位置まで押し下げ解除された後に半押し位置まで再度押し下げられたと判定した場合（Ｙの場合）には、ライブビュー動作（ライブビューモード）の正常終了のために図９のＳ１５１へ進み、Ｓ１５１において、撮像素子１０の電荷の蓄積を終了し、次に、シャッタ駆動回路１１２によりシャッタ１１の後幕の保持を解除する（Ｓ１５２）。これにより、シャッタ１１の後幕が走行して撮像素子１０はシャッタ１１の後幕により遮蔽される。
【００９９】
次に、モータ駆動回路１１４によりシーケンスモータ１１５の逆転を開始する（Ｓ１５３）。これにより、ミラーダウン、絞り２２の開放復帰が開始される。その後、シーケンススイッチＳＷ７の状態により、ミラーダウンが完了したか否かを判定し（Ｓ１５４）、ミラーダウンと判定した場合（Ｙの場合）には、Ｓ１５５へ進み、ミラーダウンでないと判定した場合（Ｎの場合）には、Ｓ１５４に留まる。次に、ミラーダウン動作終了のため、モータ駆動回路１１４によりシーケンスモータ１１５の逆転を停止する（Ｓ１５５）。なお、この停止処理の際には逆通電ブレーキやショートブレーキなどのブレーキ処理により、シーケンスモータ１１５の停止は瞬時に行われ、オーバーランは無視できる程度である。上記ステップＳ１５５によってライブビュー動作は終了され、引き続き、ステップＳ１５６からから撮影前のＡＥ動作、ＡＦ動作を行う。
【０１００】
測光装置１１０より撮影レンズＣＬを透過したレンズ透過光量を検出し（Ｓ１５６）、Ｓ１５６にて検出したレンズ透過光量に基づき露出演算を行い、制御シャッタ速度と制御絞り値を算出するとともに、制御絞り値から制御すべき絞り込み段数に相当する制御絞りパルス数Ｐｃを算出する（Ｓ１５７）。その後、焦点検出装置２０により、撮影レンズＣＬの焦点検出状態を検出し（Ｓ１５８）、撮影レンズＣＬの焦点調節状態が合焦状態であるか否かの判定を行う（Ｓ１５９）。Ｓ１５９において、合焦状態であると判定した場合（Ｙの場合）には、Ｓ１６０へ進み、合焦状態でないと判定した場合（Ｎの場合）には、Ｓ１６４に進む。
【０１０１】
Ｓ１６０において、情報表示パネル１１１に合焦状態であることを表示し、次に、レリーズボタンが全押し位置まで押し下げられたか否かを、全押しスイッチＳＷ３のオン／オフにより判定する（Ｓ１６１）。Ｓ１６１において、レリーズボタンが全押し位置まで押し下げられたと判定した場合（Ｙの場合）には、Ｓ１６２に進み、レリーズボタンが全押し位置まで押し下げられていないと判定した場合（Ｎの場合）には、Ｓ１６３へ進む。
【０１０２】
Ｓ１６２では、図５のＳ４３と同様に、レリーズシーケンスを実行する。レリーズシーケンスの詳細は、既に説明した図６に示されている。このレリーズシーケンスＳ１６２が終了すると、ライブビューシーケンスが終了してリターンし、図７のＳ９１に進む。Ｓ１６３において、レリーズボタンの半押し位置までの押下が解除されたか否かを、半押しスイッチＳＷ２のオン／オフにより判定し、レリーズボタンの半押しが解除されたと判定した場合（Ｙの場合）には、図８のＳ１２１に戻り、レリーズボタンの半押しが解除されていないと判定した場合（Ｎの場合）には、Ｓ１６１に戻る。
【０１０３】
Ｓ１５９において、合焦していないと判定された場合（Ｎの場合）には、焦点検出装置２０の焦点調節状態の検出結果に基づいて、フォーカスレンズの駆動量を算出し（Ｓ１６４）、レンズ駆動装置１１９により撮影レンズＣＬのフォーカスレンズをＳ１６４にて算出した駆動量だけ駆動させ、合焦状態になるようにする（Ｓ１６５）。次に、レリーズボタンの半押し位置までの押下が解除されたか否かを、半押しスイッチＳＷ２のオン／オフにより判定し（Ｓ１６６）、レリーズボタンの半押しが解除されたと判定した場合（Ｙの場合）には、図８のＳ１２１に戻り、レリーズボタンの半押しが解除されていないと判定した場合（Ｎの場合）には、Ｓ１５８に戻る。
【０１０４】
（動画モード）
図３の動画モードＳ８における処理の詳細は、図１０〜図１２に示されている。図１０において、まず、電源ダイヤルがオフ位置に設定されているか否かを、電源スイッチＳＷ１のオン／オフにより判定し（Ｓ１７１）、電源ダイヤルがオフ位置に設定されていると判定した場合（Ｙの場合）には、Ｓ１９１へ進み、電源ダイヤルがオン位置に設置されていると判定した場合（Ｎの場合）には、Ｓ１７２に進んで、図３のＳ３と同様に、図４の設定処理を行う。
【０１０５】
次いで、撮影動作モードパラメータＭの値が「３」であるか否かの判定を行い（Ｓ１７３）、「３」である場合（Ｙの場合）には、ライブビューモードと判断して、上述した図３のＳ７へ進み、「３」でない場合（Ｎの場合）には、更に撮影動作モードパラメータＭの値が「２」以下であるか否かを判定する（Ｓ１７４）。Ｓ１７４において、撮影動作モードパラメータＭの値が「２」以下である場合（Ｙの場合）には、静止画の１コマ撮影モード又は静止画の連続撮影モードと判断して、上述した図３のＳ６へ進み、「２」を越えている場合（Ｎの場合）、即ち「４」の場合には、動画モードと判断して、Ｓ１７５に進む。
【０１０６】
Ｓ１７５において、残記録時間を算出する。残記録時間とは、この電子カメラＣＭに装着されている記録媒体１０７に対して、今後記録できる動画の記録時間のことであり、装着された記録媒体１０７の全記録容量のうち静止画の記録のために割り当てられている所定の記録容量（予め設定されている）から既に記録されている動画が占有している記録容量を差し引いた残りの記録容量に基づいて算出される。
【０１０７】
なお、ここでは、記録媒体１０７の全記録容量のうち、静止画を記録するための所定の記録容量と、動画を記録するための所定の記録容量とを、別々に確保しているものとして説明しているが、これらを分けることなく、一体として取り扱っても勿論よい。この場合には、残記録時間は、記録媒体１０７の全記録容量のうち静止画及び動画の記録のために割り当てられている所定の記録容量（予め設定されている）から既に記録されている静止画及び動画が占有している記録容量を差し引いた残りの記録容量に基づいて算出される。また、静止画及び／又は動画についての前記所定の記録容量は、記録媒体１０７の全記録容量の一部であるものとして説明しているが、全部であっても勿論よい。
【０１０８】
次に、残記録時間があるか否か、即ち、動画の記録が該動画について予め設定された所定の記録容量を越えているか否かを判定し（Ｓ１７６）、残記録時間がある場合（Ｙの場合）には、撮影動作モードが動画モードであることと、残記録時間とを情報表示パネル１１１に表示する（Ｓ１７７）。次に、レリーズボタンが半押し位置まで押し下げられたか否かを、半押しスイッチＳＷ２のオン／オフにより判定し（Ｓ１７８）、レリーズボタンが半押し位置まで押し下げられていないと判定した場合（Ｎの場合）には、Ｓ１７１に戻り、レリーズボタンが半押し位置まで押し下げられたと判定した場合（Ｙの場合）には、測光装置１１０より撮影レンズＣＬを透過したレンズ透過光量を検出する（Ｓ１７９）。
【０１０９】
次に、Ｓ１７９にて検出したレンズ透過光量に基づいて、露出演算を行い、制御シャッタ速度と制御絞り値を算出するとともに、制御絞り値から制御すべき絞込み段数に相当する制御絞りパルス数Ｐｃを算出する（Ｓ１８０）。次いで、Ｓ１８０にて算出したシャッタ速度と絞り値を情報表示パネル１１１に表示し（Ｓ１８１）、焦点検出装置２０により撮影レンズＣＬの焦点調節状態を検出し（Ｓ１８２）、次に、撮影レンズＣＬの焦点調節状態が合焦状態であるか否かの判定を行う（Ｓ１８３）。
【０１１０】
Ｓ１８３において、合焦状態であると判定した場合（Ｙの場合）には、情報表示パネル１１１に合焦状態である旨を表示し（Ｓ１８４）、次に、レリーズボタンが全押し位置まで押し下げられたか否かを、全押しスイッチＳＷ３のオン／オフにより判定する（Ｓ１８５）。Ｓ１８５において、レリーズボタンが全押し位置まで押し下げられたと判定した場合（Ｙの場合）には、Ｓ１８６に進んで、動画を記録する動画シーケンス（図１１，図１２）を実行した後に、Ｓ１７１に戻る。Ｓ１８５において、レリーズボタンが全押し位置まで押し下げられていないと判定した場合（Ｎの場合）には、Ｓ１７８に戻る。
【０１１１】
Ｓ１８３において、合焦状態でないと判定した場合（Ｎの場合）には、焦点検出装置２０の焦点調節状態の検出結果に基づいて、フォーカスレンズの駆動量を算出し（Ｓ１８７）、次に、レンズ駆動装置１１９により撮影レンズＣＬのフォーカスレンズをＳ１８７にて算出した駆動量だけ駆動させ、合焦状態になるようにした後（Ｓ１８８）、Ｓ１７８に戻る。
【０１１２】
Ｓ１７６において、残記録時間がない場合（Ｎの場合）には、残記録時間がない旨、即ちこれ以上動画を記録できない旨を情報表示パネル１１１に表示し（Ｓ１８９）、次に、電源ダイヤルがオフ位置に設定されているか否かを、電源スイッチＳＷ１のオン／オフにより判定する（Ｓ１９０）。Ｓ１９０において、電源ダイヤルがオフ位置に設定されていると判定した場合（Ｙの場合）には、Ｓ１９１へ進み、電源ダイヤルがオン位置に設定されていると判定した場合（Ｎの場合）には、Ｓ１７５に戻る。なお、Ｓ１９０において、電源ダイヤルがオン位置に設定されていると判定してＳ１７５に戻る場合には、見かけ上、無限ループとなることになるが、この間、撮影者は、記録媒体１０７から不要な静止画や動画を削除する操作を行って記録容量を確保し、あるいは記録媒体１０７を新たな記録媒体に交換する等の作業を行うことにより、Ｓ１７６において、残記録時間があると判定され、このループを抜け出すことができる。
【０１１３】
Ｓ１７１で電源オフと、Ｓ１９０で電源オフと判定された場合には、Ｓ１９１において、撮影動作モードパラメータＭにモード記憶パラメータＭＭの値（図４のＳ２４で記憶した値）をセットする。これにより、撮影動作モードが動画モードから１コマ撮影モードと連続撮影モードのうちの直近に設定されたモードに変更されることになる。これは、記録媒体１０７の残記録時間がないこと、又は動画モード処理中に電源をオフにする操作（中断条件を満たす動作）を行ったことによるものである。Ｓ１９１の実行後は、リターンし、図３のＳ２に進む。
【０１１４】
（動画シーケンス）
図１０の動画シーケンスＳ１８６における処理の詳細は、図１１及び図１２に示されている。図１１において、まず、シャッタ駆動回路１１２によりシャッタ１１の不図示のマグネットに通電を行うことにより、シャッタ１１の先幕及び後幕の保持を行い（Ｓ２０１）、モータ駆動回路１１４によりシーケンスモータ１１５の正転を開始させる（Ｓ２０２）。これにより、クイックリターンミラーＲＭのミラーアップ動作、及び絞り２２の絞込みが開始される。次に、絞り位置検出装置１１６により駆動絞りパルスＰｋを検出し（Ｓ２０３）、制御パルスＰｃとＳ２０３にて検出した駆動絞りパルスＰｋとを比較する（Ｓ２０４）。
【０１１５】
Ｓ２０４において、検出した駆動絞りパルスＰｋが制御パルスＰｃ未満であると判定した場合（Ｎの場合）には、Ｓ２０３へ戻り、検出した駆動絞りパルスＰｋが制御パルスＰｃ以上であると判定した場合（Ｙの場合）には、絞り係止装置１１７を作動させて絞り２２を係止し、絞り２２の絞込みを停止させる（Ｓ２０５）。次に、シーケンススイッチＳＷ７の状態により、ミラーアップが完了したか否かを判定し（Ｓ２０６）、ミラーアップ完了と判断できるまでＳ２０６に留まり、ミラーアップ完了と判定した場合（Ｙの場合）には、モータ駆動回路１１４によりシーケンスモータ１１５の正転を停止する（Ｓ２０７）。なお、この停止処理の際には逆通電ブレーキやショートブレーキ等のブレーキ処理により、シーケンスモータ１１５の停止は瞬時に行われ、オーバーランは無視できる程度である。また、上記Ｓ２０６によりミラーアップと判定するまでには、絞り係止装置１１７による絞り２２の係止が完了するように、不図示のシーケンス駆動装置は構成されているものとする。
【０１１６】
次に、シャッタ駆動回路１１２により、シャッタ１１３の不図示のマグネットの通電を解除して、シャッタ１１３の先幕の保持を解除し、先幕の走行を開始させる（Ｓ２０８）。これにより、撮像素子１０に撮影レンズＣＬを透過した光が到達する。次に、シャッタ１１の先幕の保持を解除した後、先幕が撮影素子１０の撮像面を走行完了する時間だけウエイトする（Ｓ２０９）。これは、撮像素子１０の撮像面のシャッタ１１の先幕による遮蔽が完全になくなるまで待つためである。
【０１１７】
次に、撮像素子１０の電荷蓄積を開始する（Ｓ２１０）。なお、シャッタ１１の先幕の保持を解除するまで、撮像素子１０には撮影レンズＣＬを透過した光は到達しない。シャッタ１１の先幕による撮像素子１０の遮蔽が完全になくなったならば、即ち撮像素子１０に撮影レンズＣＬを透過した光が到達するようになったならば、リアルタイム画像表示（ライブビュー）を行うため、露光時間の制御としての蓄積時間制御を行う（Ｓ２１１）。この制御は、いわゆる電子シャッタ制御によって行う。
【０１１８】
１フレームの蓄積時間が経過すると、撮像素子１０から出力される撮像信号を受けることにより画像の取り込みを行い（Ｓ２１２）、Ｓ２１２で取り込まれた画像データにホワイトバランス調整、輪郭補償、ガンマ補正などの画像処理を行い（Ｓ２１３）、更にＳ２１３にて処理された画像データを圧縮処理する（Ｓ２１４）。その後、圧縮された画像データを動画として、記録媒体１０７に記録する（Ｓ２１５）。
【０１１９】
次に、Ｓ２１４にて圧縮された画像データを、表示駆動回路１０８を介して画像表示モニタ１７に動画として再生表示する（Ｓ２１６）。次のステップＳ２１６−１において、レリーズボタンの全押し操作が継続（保持）されているか否かを識別する。全押し操作が継続されていれば、撮像素子１０による撮像信号を用いて撮影画像の輝度を測定し、電子シャッタとしてのシャッタ速度を算出する（Ｓ２１７）。その後、この電子カメラＣＭに装着された記録媒体１０７の残記録時間を算出し（Ｓ２１８）、Ｓ２１８にて算出した残記録時間の有無を判定する（Ｓ２１９）。Ｓ２１９において、残記録時間がない場合（Ｎの場合）には、図１２のＳ２３１へ進み、残記録時間がある場合（Ｙの場合）には、情報表示パネル１１１に残記録時間を表示する（Ｓ２２０）。
【０１２０】
次に、電源ダイヤルがオフ位置に設定されているか否かを、電源スイッチＳＷ１のオン／オフにより判定し（Ｓ２２１）、電源ダイヤルがオン位置に設定されていると判定した場合（Ｎの場合）には、Ｓ２１１に戻り、電源ダイヤルがオフ位置に設定されていると判定した場合（Ｙの場合）には、Ｓ２２２へ進む。即ち、電源ダイヤルがオフすると、動画モードにおける動画記録及び画像表示モニタ１７によるリアルタイム画像表示を中断して、ミラーダウン処理に移行する。Ｓ２２２において、撮像素子１０の電荷の蓄積を終了し、次に、シャッタ駆動回路１１２によりシャッタ１１の後幕の保持を解除する（Ｓ２２３）。これにより、シャッタ１１の後幕が走行して撮像素子１０はシャッタ１１の後幕により遮蔽される。
【０１２１】
次に、モータ駆動回路１１４により、シーケンスモータ１１５の逆転を開始する（Ｓ２２４）。これにより、ミラーダウン、絞り２２の開放復帰が開始される。その後、シーケンススイッチＳＷ７の状態により、ミラーダウンが完了したか否かを判定し（Ｓ２２５）、ミラーダウンと判定した場合（Ｙの場合）には、Ｓ２２６へ進み、ミラーダウンでないと判定した場合（Ｎの場合）には、Ｓ２２５に留まる。次に、ミラーダウン動作終了のため、モータ駆動回路１１４により、シーケンスモータ１１５の逆転を停止する（Ｓ２２６）。なお、この停止処理の際には逆通電ブレーキやショートブレーキなどのブレーキ処理により、シーケンスモータ１１５の停止は瞬時に行われ、オーバーランは無視できる程度である。
【０１２２】
次に、撮影動作モードパラメータＭにモード記憶パラメータＭＭの値（図４のＳ２４で記憶した値）をセットする（Ｓ２２７）。これにより、撮影動作モードが動画モードから１コマ撮影モードと連続撮影モードのうちの直近に設定されたモードに変更される。これは、動画モードにおける画像記録及び画像表示モニタ１７に表示されるリアルタイム画像表示を、電源をオフする操作を行うことによって中断したことによるものである。その後、リターンし、図１０のＳ１７１に進む。
【０１２３】
Ｓ２１６−１において、レリーズボタンの全押し操作が維持されていないと判断されると、上述のステップＳ２２２〜Ｓ２２６と同じ動作を行い、その後リターンし、図１０のＳ１７１に進む。このレリーズボタンの全押し操作の解除は、動画記録動作を正常に終了させる動作であるため、上述のステップＳ２２７の動作は行わずにリターンされるようになっている。
【０１２４】
Ｓ２１９において、残記録時間がないと判定された場合（Ｎの場合）には、図１２のＳ２３１へ進み、Ｓ２３１において、情報表示パネル１１１に残記録時間がないことを表示する。次に、撮像素子１０の電荷の蓄積を終了し（Ｓ２３２）、シャッタ駆動回路１１２によりシャッタ１１の後幕の保持を解除する（Ｓ２３３）。これにより、シャッタ１１の後幕が走行して撮像素子１０はシャッタ１１の後幕により遮蔽される。
【０１２５】
次に、モータ駆動回路１１４によりシーケンスモータ１１５の逆転を開始する（Ｓ２３４）。これにより、ミラーダウン、絞り２２の開放復帰が開始される。その後、シーケンススイッチＳＷ７の状態により、ミラーダウンが完了したか否かを判定し（Ｓ２３５）、ミラーダウンと判定した場合（Ｙの場合）には、Ｓ２３６に進み、ミラーダウンでないと判定した場合（Ｎの場合）には、Ｓ２３５に留まる。次に、ミラーダウン動作終了のため、モータ駆動回路１１４により、シーケンスモータ１１５の逆転を停止する（Ｓ２３６）。なお、この停止処理の際には逆通電ブレーキやショートブレーキなどのブレーキ処理により、シーケンスモータ１１５の停止は瞬時に行われ、オーバーランは無視できる程度である。
【０１２６】
次に、カメラに装着された記録媒体１０７の残記録時間を再度算出し（Ｓ２３７）、Ｓ２３７にて算出した残記録時間の有無を判定する（Ｓ２３８）。Ｓ２３８において、残記録時間があると判定した場合（Ｙの場合）には、Ｓ２４１へ進み、残記録時間がないと判定した場合（Ｎの場合）には、Ｓ２３９へ進む。Ｓ２３９では、情報表示パネル１１１に残記録時間がないことを表示し、次に、電源ダイヤルがオフ位置に設定されているか否かを、電源スイッチＳＷ１のオン／オフにより判定する（Ｓ２４０）。Ｓ２４０において、電源ダイヤルがオフ位置に設定されていると判定した場合（Ｙの場合）には、Ｓ２４１へ進み、電源ダイヤルがオン位置に設定されていると判定した場合（Ｎの場合）には、Ｓ２３７へ戻る。なお、Ｓ２４０において、電源ダイヤルがオン位置に設定されていると判定してＳ２３７に戻る場合には、見かけ上、無限ループとなることになるが、この間、撮影者は、記録媒体１０７から不要な静止画や動画を削除する操作を行って記録容量を確保し、あるいは記録媒体１０７を新たな記録媒体に交換する等の作業を行うことにより、Ｓ２３８において、残記録時間があると判定され、このループを抜け出すことができる。
【０１２７】
次に、Ｓ２４１において、撮影動作モードパラメータＭにモード記憶パラメータＭＭの値（図４のＳ２４で記憶した値）をセットする。これにより、撮影動作モードが動画モードから１コマ撮影モードと連続撮影モードのうちの直近に設定されたモードに変更される。これは、動画モードにおける動画記録及び画像表示モニタ１７によるリアルタイム画像表示を、記録媒体１０７の残記録時間がないことにより中断したことによるものである。その後、リターンし、図１０のＳ１７１に進む。
【０１２８】
上述した実施形態によれば、ライブビューモードの実行中に所定の中断条件が成立した場合に、撮影動作モードを静止画の１コマ撮影モードと連続撮影モードのうちの直近に設定されたモードに変更するようにしている（図７のＳ９１，Ｓ９６，Ｓ１１０，Ｓ１１１，図８のＳ１３７，Ｓ１４４）。ここでの中断条件は、電源ダイヤルをオフ位置に設定する操作が行われた場合、記録媒体１０７に静止画を記録するできなくなった場合（残コマ数がなくなった場合）に成立する。
【０１２９】
また、動画モードの実行中に所定の中断条件が成立した場合に、撮影動作モードが静止画の１コマ撮影モードと連続撮影モードのうちの直近に設定されたモードに変更される（図１０のＳ１７１，Ｓ１７６，Ｓ１９０，Ｓ１９１，図１１のＳ２１９，Ｓ２２１，Ｓ２２７，図１２のＳ２３８，Ｓ２４０，Ｓ２４１）。ここでの中断条件は、電源ダイヤルをオフ位置に設定する操作が行われた場合、記録媒体１０７に動画を記録できなくなった場合（残記録時間がなくなった場合）に成立する。
【０１３０】
〔他の実施形態〕
以下、本発明の他の実施形態として、上述した実施形態の一部を変形した変形例について、図面を参照して説明する。
【０１３１】
（第１変形例）
図１３は本発明の他の実施形態に係る第１変形例を示すフローチャートである。この第１変形例は、上述した実施形態の図７の一部を変更したものであり、図７のＳ１１１を省略し、Ｓ９１又はＳ１１０で電源オフと判定された場合（Ｙの場合）には図３のＳ２にリターンするようにしたものである。即ち、ライブビューシーケンスでのリアルタイム画像表示中以外において、電源ダイヤルがオフ位置に設定された場合や残コマなしの場合には、撮影動作モードが変更されないようにしたものである。
【０１３２】
（第２変形例）
図１４は本発明の他の実施形態に係る第２変形例を示すフローチャートである。この第２変形例は、上述した実施形態の図７の一部を変更したものであり、ライブビューシーケンスＳ１０６の後に、撮影動作モードパラメータＭにモード記憶パラメータＭＭの値をセットするようにしたものである（Ｓ３００）。即ち、ライブビューシーケンスにおいて撮影動作が完了した場合（図９のＳ１６２の後に図７のライブビューシーケンスＳ１０６をリターンした場合）にも、撮影動作モードを静止画の１コマ撮影モードと連続撮影モードのうちの直近に設定されたモードに変更されるようにしたものである。
【０１３３】
（第３変形例）
図１５は本発明の他の実施形態に係る第３変形例を示すフローチャートである。この第３変形例は、上述した実施形態の図９の一部を変更したものである。図９では、Ｓ１６３において、レリーズボタンの半押しの解除がなされたと判定された場合（Ｙの場合）、また、Ｓ１６６において、レリーズボタンの半押しの解除がなされたと判定された場合（Ｙの場合）には、図８のＳ１２１に戻るようにしていたが、この第３変形例では、それぞれ図３のＳ２にリターンするようにしている。即ち、ライブビューシーケンスでのリアルタイム画像表示中に、レリーズボタンの半押しをして、ピント調節をしようとするときに、レリーズボタンの半押しを解除すると、ミラーアップによるリアルタイム画像表示をせずに、再度レリーズされるまで、ミラーダウン状態を保持するようにしている。
【０１３４】
（第４変形例）
図１６は本発明の他の実施形態に係る第４変形例を示すフローチャートである。この第４変形例は、上述した実施形態の図９の一部を変更したものであり、レリーズシーケンスＳ１６２の後に、撮影動作モードパラメータＭにモード記憶パラメータＭＭの値をセットするようにしたものである（Ｓ３１０）。即ち、ライブビューシーケンスにおけるリアルタイム画像表示中に、レリーズボタンを全押しして撮影を行った後は、撮影動作モードを静止画の１コマ撮影モードと連続撮影モードのうちの直近に設定されたモードに変更するようにしている。
【０１３５】
（第５変形例）
図１７は本発明の他の実施形態に係る第５変形例を示すフローチャートである。この第５変形例は、上述した実施形態の図１０の一部を変更したものであり、図１０のＳ１９１を省略し、Ｓ１７１又はＳ１９０で電源オフと判定された場合（Ｙの場合）には、図３のＳ２にリターンするようにしたものである。即ち、動画シーケンスにおける動画記録の中断された以降の処理以外の電源ダイヤルオフ位置設定や残記録時間なしでは撮影動作モードが変更されないようにしたものである。
【０１３６】
（第６変形例）
図１８は本発明の他の実施形態に係る第６変形例を示すフローチャートである。この第６変形例は、上述した実施形態の図１０の一部を変更したものであり、動画シーケンスＳ１８６の後に、撮影動作モードパラメータＭにモード記憶パラメータＭＭの値をセットするようにしたものである（Ｓ３２０）。即ち、動画記録終了後には、必ず撮影動作モードを静止画の１コマ撮影モードと連続撮影モードのうちの直近に設定されたモードに変更されるようにしたものである。
【０１３７】
（第７変形例）
図１９は本発明の他の実施形態に係る第７変形例を示すフローチャートである。この第７変形例は、上述した実施形態の図１２の一部を変更したものであり、Ｓ２３８において、残記録時間があると判定された場合（Ｙの場合）には、新規の記録媒体１０７がカメラに装着されたと判断して、Ｓ２４２を省略して、図１０のＳ１７１へリターンする。このため動画記録途中で残記録時間がなくなって、動画記録が中断した後にカメラから残記録時間のなくなった記録媒体１０７を取り出して、別の残記録時間のある記録媒体１０７をカメラに装着した場合には、撮影動作モードは動画モードを維持するようになる。
【０１３８】
（第８変形例）
図２０は本発明の他の実施形態に係る第８変形例を示すフローチャートである。この第８変形例は、上述した実施形態の図８の一部を変更したものであり、ライブビューモードによるリアルタイム画像表示を長時間継続すると、撮像素子１０が高温となって通常の動作を維持できなくなる可能性があるため、ライブビューモードにおけるリアルタイム画像表示の時間に制限を設けるようにしたものである。Ｓ１３０の電荷蓄積開始前に、Ｓ３３０にて時間の計測を開始し、Ｓ１３６で撮影画像の輝度を測定した後に、Ｓ３３１にて撮像素子１０が高温となってノイズなどにより通常の画質と異なってしまうような時間よりも短い所定の時間が経過したか否かを判定し、所定の時間経過の場合にはＳ３３２へ進み、Ｓ３３２において、時間の計測を停止して、Ｓ１３９の電荷蓄積終了以降の処理を行う。この第８変形例では、所定時間を超えてライブビューモードによるリアルタイム画像表示を継続すると、撮影動作モードがライブビューモードから静止画の１コマ撮影モードと連続撮影モードのうちの直近に設定されたモードに変更されるようになっている。
【０１３９】
（第９変形例）
図２１は本発明の他の実施形態に係る第９変形例を示すフローチャートである。この第９変形例は、上述した実施形態の図１１の一部を変更したものであり、動画モードにおける動画記録を長時間継続すると撮像素子１０が高温となって、通常の動作を維持できなくなる可能性があるため、動画モードにおける動画記録時間に制限を設けるようにしたものである。Ｓ２１０の電荷蓄積開始前に、Ｓ３４０にて時間の計測を開始し、Ｓ２１７で撮影画像の輝度を測定した後に、Ｓ３４１にて撮像素子１０が高温となってノイズなどにより通常の画質と異なってしまうような時間よりも短い所定の時間が経過したか否かを判定し、所定の時間経過の場合にはＳ３４２へ進み、時間の計測（計時動作）を停止して、Ｓ２２２の電荷蓄積終了以降の処理を行うようにしたものである。この第９変形例では、所定時間を超えて動画モードにおける動画記録を継続すると、撮影動作モードが動画モードから静止画の１コマ撮影モードと連続撮影モードのうちの直近に設定されたモードに変更するようになっている。
【０１４０】
（第１０変形例）
図２２は本発明の他の実施形態に係る第１０変形例を示すフローチャートである。この第１０変形例は、上述した実施形態の図８の一部を変更したものである。Ｓ１３６にて撮影画像の輝度を測定した後に、Ｓ３５０にて温度センサ２３により、撮像素子１０の温度を検出し、Ｓ３５１にて撮像素子１０が高温となってノイズなどにより通常の画質と異なってしまうような所定の温度以上か否かを判定し、所定の温度以上の場合にはＳ１３９の電荷蓄積終了以降の処理を行う。この第１０変形例では、撮像素子１０の温度がノイズなどにより通常の画質と異なってしまうような所定の温度以上になると、撮影動作モードがライブビューモードから静止画の１コマ撮影モードと連続撮影モードのうちの直近に設定されたモードに変更するようになっている。なお、この場合は、撮像素子１０の温度について判定を行っているが、他の発熱部品（例えば、駆動装置のアクチュエータ等）の温度について判定を行うようにしてもよい。
【０１４１】
（第１１変形例）
図２３は本発明の他の実施形態に係る第１１変形例を示すフローチャートである。この第１１変形例は、上述した実施形態の図１１の一部を変更したものである。Ｓ２１７にて撮影画像の輝度を測定した後に、Ｓ３６０にて温度センサ２３により撮像素子１０の温度を検出し、Ｓ３６１にて撮像素子１０が高温となってノイズなどにより通常の画質と異なってしまような所定の温度以上か否かを判定し、所定の温度以上の場合にはＳ２２２の電荷蓄積終了以降の処理を行う。この第１１変形例では、撮像素子１０の温度がノイズなどにより通常の画質と異なってしまような所定の温度以上になると、撮影動作モードが動画モードから静止画の１コマ撮影モードと連続撮影モードのうちの直近に設定されたモードに変更するようになっている。なお、この場合は、撮像素子１０の温度について判定を行っているが、他の発熱部品（例えば、駆動装置のアクチュエータ等）の温度について判定を行うようにしてもよい。
【０１４２】
（第１２変形例）
図２４は本発明の他の実施形態に係る第１２変形例を示すフローチャートである。この第１２変形例は、上述した実施形態の図１２の一部を変更したものであり、図１２からＳ２３７〜Ｓ２４０を省略して、動画記録中に残記録時間がなくなると、ミラーダウン後に撮影動作モードが動画モードから静止画の１コマ撮影モードと連続撮影モードのうちの直近に設定されたモードに変更するようになっている。
【０１４３】
以上説明したように、上述した実施形態又は他の実施形態における各変形例によれば、撮影動作モードがライブビューモード又は動画モードを実行中に、所定の中断条件が成立した場合に、撮影動作モードが、静止画の１コマ撮影モードと連続撮影モードのうちの直近に設定されたモードに自動的に変更される。従って、撮影者自らが手動でモード変更をしなくても、所定の場合に、一眼レフ方式の電子カメラとして使用頻度の高い静止画の撮影動作モードに自動的に変更されるため、その後の撮影を行う際にシャッターチャンスを逃すことが少なくなる。また、中断条件は、電源のオフ、残コマ数がなくなる、残記録時間がなくなる、動画撮影あるいはライブビュー表示の所定時間以上の継続、撮像素子の温度が所定温度以上になる、静止画の撮影操作がなされる等の場合に成立し、これらは通常は撮影動作モードの変更に値するような操作であるため、その後の撮影を行う際に静止画のモードとなることにより、使い勝手を向上することができる。
【０１４４】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【図面の簡単な説明】
【０１４５】
【図１】本発明の実施形態の電子カメラの概略構成を示す断面図である。
【図２】本発明の実施形態の電子カメラの制御系の構成を示すブロック図である。
【図３】本発明の実施形態のメイン処理を示すフローチャートである。
【図４】本発明の実施形態の設定処理を示すフローチャートである。
【図５】本発明の実施形態の静止画モードにおける処理を示すフローチャートである。
【図６】本発明の実施形態のレリーズシーケンスを示すフローチャートである。
【図７】本発明の実施形態のライブビューモードにおける処理を示すフローチャートである。
【図８】本発明の実施形態のライブビューシーケンスを示すフローチャート（その１）である。
【図９】本発明の実施形態のライブビューシーケンスを示すフローチャート（その２）である。
【図１０】本発明の実施形態の動画モードにおける処理を示すフローチャートである。
【図１１】本発明の実施形態の動画シーケンスを示すフローチャート（その１）である。
【図１２】本発明の実施形態の動画シーケンスを示すフローチャート（その２）である。
【図１３】本発明の他の実施形態における第１変形例を示す部分フローチャートである。
【図１４】本発明の他の実施形態における第２変形例を示す部分フローチャートである。
【図１５】本発明の他の実施形態における第３変形例を示す部分フローチャートである。
【図１６】本発明の他の実施形態における第４変形例を示す部分フローチャートである。
【図１７】本発明の他の実施形態における第５変形例を示す部分フローチャートである。
【図１８】本発明の他の実施形態における第６変形例を示す部分フローチャートである。
【図１９】本発明の他の実施形態における第７変形例を示す部分フローチャートである。
【図２０】本発明の他の実施形態における第８変形例を示す部分フローチャートである。
【図２１】本発明の他の実施形態における第９変形例を示す部分フローチャートである。
【図２２】本発明の他の実施形態における第１０変形例を示す部分フローチャートである。
【図２３】本発明の他の実施形態における第１１変形例を示す部分フローチャートである。
【図２４】本発明の他の実施形態における第１２変形例を示す部分フローチャートである。
【符号の説明】
【０１４６】
ＣＭ…電子カメラ、ＣＢ…カメラボディ、ＣＬ…撮影レンズ、ＦＤ…ファインダ部、ＲＭ…クイックリターンミラー、１０…撮像素子、１１…メカニカルシャッタ、１７…画像表示モニタ、２３…温度センサ、１０１…制御装置、１０７…記録媒体、１１１…情報表示パネル、１１５…モータ。
【図１】
2008245129.tif 000003
【図２】
2008245129.tif 000004
【図３】
2008245129.tif 000005
【図４】
2008245129.tif 000006
【図５】
2008245129.tif 000007
【図６】
2008245129.tif 000008
【図７】
2008245129.tif 000009
【図８】
2008245129.tif 000010
【図９】
2008245129.tif 000011
【図１０】
2008245129.tif 000012
【図１１】
2008245129.tif 000013
【図１２】
2008245129.tif 000014
【図１３】
2008245129.tif 000015
【図１４】
2008245129.tif 000016
【図１５】
2008245129.tif 000017
【図１６】
2008245129.tif 000018
【図１７】
2008245129.tif 000019
【図１８】
2008245129.tif 000020
【図１９】
2008245129.tif 000021
【図２０】
2008245129.tif 000022
【図２１】
2008245129.tif 000023
【図２２】
2008245129.tif 000024
【図２３】
2008245129.tif 000025
【図２４】
2008245129.tif 000026